(57)【要約】【課題】被切断物としてのシートを折り重ねることで、その表面側に表れる部分模様が組み合わさった第１全体模様と、裏面側に表れる部分模様が組み合わさった第２全体模様との表裏両面の装飾物を容易に作製することができる切断データ作成方法、切断データ作成装置、及びコンピュータ読取り可能な記録媒体を提供する。【解決手段】切断データ作成装置は、重畳線設定手段、連接手段、及び切断データ作成手段を備える。重畳線設定手段は、注目する一の部分模様の枠線の一部と他の部分模様の枠線の一部とを重ねるための重畳線を、第１グループの部分模様及び第２グループの部分模様の夫々の組み合わせに応じて設定する。連接手段は、一の部分模様の枠線と他の部分模様の枠線とを、重畳線設定工程で設定された重畳線で繋げることで、第１グループの部分模様と第２グループの部分模様とにわたって、各枠線が連続的に繋がる形状に連接する。切断データ作成手段は、連接手段で繋げた枠線のうち重畳線を除く枠線を切断する切断データを作成する。【選択図】図３
2016185576.tif 000002
【特許請求の範囲】
【請求項１】
枠線で画された複数の部分模様を繋げた形状に切断したシートを前記枠線で画された単位で折り重ねることにより、その表（おもて）面側に表れる第１グループの部分模様が組み合わさった第１全体模様と、裏面側に表れる第２グループの部分模様が組み合わさった第２全体模様との表裏両面の装飾物を作製するための、切断データを作成する切断データ作成方法であって、
前記複数の部分模様の各枠線について、注目する一の部分模様の枠線の一部と他の部分模様の枠線の一部とを重ねるための重畳線を、前記第１グループの部分模様及び前記第２グループの部分模様の夫々の組み合わせに応じて設定する重畳線設定工程と、
前記一の部分模様の枠線と前記他の部分模様の枠線とを、前記重畳線設定工程で設定された前記重畳線で繋げることで、前記第１グループの部分模様と前記第２グループの部分模様とにわたって、各枠線が連続的に繋がる形状に連接する連接工程と、
前記連接工程で繋げた前記枠線のうち前記重畳線を除く枠線を切断する切断データを作成する切断データ作成工程と、
を備えることを特徴とする切断データ作成方法。
【請求項２】
前記シートを折り重ねたときの前記複数の部分模様の重なり順の順番を決定する順番決定工程を備え、
前記重畳線設定工程は、前記順番決定工程で決定された前記順番に応じて、前記複数の部分模様の各枠線の重畳線を設定することを特徴とする請求項１記載の切断データ作成方法。
【請求項３】
前記シートを折り重ねたときにおける前記第１グループの部分模様相互間での重なり順の順番が偶数番目となる部分模様を、その枠線の前記重畳線を基準に対称形状となる部分模様に変換し、且つ
前記シートを折り重ねたときにおける前記第２グループの部分模様相互間での重なり順の順番が奇数番目となる部分模様を、その枠線の前記重畳線を基準に対称形状となる部分模様に変換する変換工程を備えることを特徴とする請求項１又は２記載の切断データ作成方法。
【請求項４】
前記枠線は、その内方に前記部分模様を包含し、又は、前記部分模様の輪郭線の少なくとも一部を構成することを特徴とする請求項１〜３の何れか一項記載の切断データ作成方法。
【請求項５】
前記切断データ作成工程は、前記重畳線を折り線位置として前記折り重ねの指標となる目印の切断データを更に作成することを特徴とする請求項１〜４の何れか一項記載の切断データ作成方法。
【請求項６】
前記目印は、前記折り線位置を示す線であって、前記シートを山折りすることを示す山折り線と、前記シートを谷折りすることを示す谷折り線とを含み、前記山折り線と前記谷折り線は線の種類が異なることを特徴とする請求項５の記載の切断データ作成方法。
【請求項７】
前記山折り線と前記谷折り線は、前記枠線を連接した方向において前記折り線位置毎に互い違いとなるように配置されていることを特徴とする請求項６の記載の切断データ作成方法。
【請求項８】
枠線で画された複数の部分模様を繋げた形状に切断したシートを前記枠線で画された単位で折り重ねることにより、その表（おもて）面側に表れる第１グループの部分模様が組み合わさった第１全体模様と、裏面側に表れる第２グループの部分模様が組み合わさった第２全体模様との表裏両面の装飾物を作製するための、切断データを作成する切断データ作成装置であって、
前記複数の部分模様の各枠線について、注目する一の部分模様の枠線の一部と他の部分模様の枠線の一部とを重ねるための重畳線を、前記第１グループの部分模様及び前記第２グループの部分模様の夫々の組み合わせに応じて設定する重畳線設定手段と、
前記一の部分模様の枠線と前記他の部分模様の枠線とを、前記重畳線設定手段で設定された前記重畳線で繋げることで、前記第１グループの部分模様と前記第２グループの部分模様とにわたって、各枠線が連続的に繋がる形状に連接する連接手段と、
前記連接手段で繋げた前記枠線のうち前記重畳線を除く枠線を切断する切断データを作成する切断データ作成手段と、
を備えることを特徴とする切断データ作成装置。
【請求項９】
前記シートを折り重ねたときの前記複数の部分模様の重なり順の順番を決定する順番決定手段を備え、
前記重畳線設定手段は、前記順番決定手段で決定された前記順番に応じて、前記複数の部分模様の各枠線の重畳線を設定することを特徴とする請求項８記載の切断データ作成装置。
【請求項１０】
前記シートを折り重ねたときにおける前記第１グループの部分模様相互間での重なり順の順番が偶数番目となる部分模様を、その枠線の前記重畳線を基準に対称形状となる部分模様に変換し、且つ
前記シートを折り重ねたときにおける前記第２グループの部分模様相互間での重なり順の順番が奇数番目となる部分模様を、その枠線の前記重畳線を基準に対称形状となる部分模様に変換する変換手段を備えることを特徴とする請求項８又は９記載の切断データ作成装置。
【請求項１１】
前記枠線は、その内方に前記部分模様を包含し、又は、前記部分模様の輪郭線の少なくとも一部を構成することを特徴とする請求項８〜１０の何れか一項記載の切断データ作成装置。
【請求項１２】
前記切断データ作成手段は、前記重畳線を折り線位置として前記折り重ねの指標となる目印の切断データを更に作成することを特徴とする請求項８〜１１の何れか一項記載の切断データ作成装置。
【請求項１３】
前記目印は、前記折り線位置を示す線であって、前記シートを山折りすることを示す山折り線と、前記シートを谷折りすることを示す谷折り線とを含み、前記山折り線と前記谷折り線は線の種類が異なることを特徴とする請求項１２の記載の切断データ作成装置。
【請求項１４】
前記山折り線と前記谷折り線は、前記枠線を連接した方向において前記折り線位置毎に互い違いとなるように配置されていることを特徴とする請求項１３の記載の切断データ作成装置。
【請求項１５】
請求項８〜１４の何れか一項記載の切断データ作成装置の各種処理手段としてコンピュータを機能させるためのプログラムを記録したコンピュータ読取り可能な記録媒体。
【発明の詳細な説明】
【技術分野】
【０００１】
本発明は、シートを折り重ねてなる装飾物について、その切断対象としてのシートを切断する切断データに係る切断データ作成方法、切断データ作成装置、及びコンピュータ読取り可能な記録媒体に関する。
【背景技術】
【０００２】
従来より、被切断物である紙等のシートを、自動的に切断する切断装置が知られている。
例えば特許文献１に記載の切断装置では、ディスプレイを備えている。ユーザは、ディスプレイに表示される複数の模様の中から、所望の模様を選択する。前記シートは、表面に粘着層を有する保持部材に貼り付けられる。そして、切断装置は、保持部材の両端部分を駆動機構の駆動ローラ及びピンチローラで上下方向から挟んで第１方向へ移動させると共に、カッタを有するキャリッジを前記第１方向と直交する第２方向へ移動させる。この動作により、前記シートは、選択した模様の輪郭に沿って切断される。
【先行技術文献】
【特許文献】
【０００３】
【特許文献１】特開２０１２−２０６２３７号公報
【発明の概要】
【発明が解決しようとする課題】
【０００４】
ところで、複数のシートを重ねてなる装飾物を作製するには、まず、基台となるシート（基台シート）に、別のシートから切り抜いた部分模様を重ねて貼り付ける。そして、更に別のシートから切り抜いた異なる形状の部分模様を、その上から重ねて貼り付ける。こうして、複数のシートを重ねることで、複数の部分模様が組み合わさった凸状又は凹状の全体模様を表す装飾物を作製することができる。
しかし、従来の切断装置では、１枚のシートから所望の模様を切断することはできたが、上記のような装飾物を作製することには対応していなかった。従って、前記装飾物を作製するには、ユーザは、例えばハサミ等を用いて手作業により部分模様をシートから切り抜くことが必要であり、切断装置を用いることはなかった。即ち、ユーザは、全体模様をイメージしながら、各シートから切り抜く部分模様の夫々の形状や大きさ、配置を決めつつ装飾物を作製するしかなかった。従って、こうしたシート（部分模様）の配置等に多くの手間がかかっていた。また、作製された装飾物は、全体模様が装飾物の片面だけに表されており、見栄えが劣っていた。
【０００５】
本発明は上記事情に鑑みてなされたものであり、その目的は、被切断物としてのシートを折り重ねることで、その表面側に表れる部分模様が組み合わさった第１全体模様と、裏面側に表れる部分模様が組み合わさった第２全体模様との表裏両面の装飾物を容易に作製することができる切断データ作成方法、切断データ作成装置、及びコンピュータ読取り可能な記録媒体を提供することである。
【課題を解決するための手段】
【０００６】
上記した目的を達成するために、本発明の請求項１の切断データ作成方法は、枠線で画された複数の部分模様を繋げた形状に切断したシートを前記枠線で画された単位で折り重ねることにより、その表面側に表れる第１グループの部分模様が組み合わさった第１全体模様と、裏面側に表れる第２グループの部分模様が組み合わさった第２全体模様との表裏両面の装飾物を作製するための、切断データを作成する切断データ作成方法であって、前記複数の部分模様の各枠線について、注目する一の部分模様の枠線の一部と他の部分模様の枠線の一部とを重ねるための重畳線を、前記第１グループの部分模様及び前記第２グループの部分模様の夫々の組み合わせに応じて設定する重畳線設定工程と、前記一の部分模様の枠線と前記他の部分模様の枠線とを、前記重畳線設定工程で設定された前記重畳線で繋げることで、前記第１グループの部分模様と前記第２グループの部分模様とにわたって、各枠線が連続的に繋がる形状に連接する連接工程と、前記連接工程で繋げた前記枠線のうち前記重畳線を除く枠線を切断する切断データを作成する切断データ作成工程と、を備えることを特徴とする。
【０００７】
本発明の請求項８の切断データ作成装置は、枠線で画された複数の部分模様を繋げた形状に切断したシートを前記枠線で画された単位で折り重ねることにより、その表面側に表れる第１グループの部分模様が組み合わさった第１全体模様と、裏面側に表れる第２グループの部分模様が組み合わさった第２全体模様との表裏両面の装飾物を作製するための、切断データを作成する切断データ作成装置であって、前記複数の部分模様の各枠線について、注目する一の部分模様の枠線の一部と他の部分模様の枠線の一部とを重ねるための重畳線を、前記第１グループの部分模様及び前記第２グループの部分模様の夫々の組み合わせに応じて設定する重畳線設定手段と、前記一の部分模様の枠線と前記他の部分模様の枠線とを、前記重畳線設定手段で設定された前記重畳線で繋げることで、前記第１グループの部分模様と前記第２グループの部分模様とにわたって、各枠線が連続的に繋がる形状に連接する連接手段と、前記連接手段で繋げた前記枠線のうち前記重畳線を除く枠線を切断する切断データを作成する切断データ作成手段と、を備えることを特徴とする。
【０００８】
本発明の請求項１５のコンピュータ読取り可能な記録媒体は、請求項８〜１４の何れか一項記載の切断データ作成装置の各種処理手段としてコンピュータを機能させるためのプログラムを記録したものである。
【発明の効果】
【０００９】
請求項１の切断データ作成方法によれば、重畳線設定工程で、一の部分模様の枠線の一部と他の部分模様の枠線の一部との重畳線が、第１グループの部分模様及び第２グループの部分模様の夫々の組み合わせに応じて設定される。また、連接工程で、一の部分模様の枠線と他の部分模様の枠線とを重畳線で繋げることで、第１グループの部分模様と第２グループの部分模様とにわたって、各枠線が連続的に繋がる形状に連接する。これにより、被切断物としてのシートについて、複数の部分模様に係る枠線のうち前記重畳線を除く枠線を切断する切断データを作成することができる。このため、作成した切断データに基づきシートを切断し、枠線で画された単位でシートを折り重ねれば、その表面側に第１グループの部分模様が組み合わさった第１全体模様を表し、裏面側に第２グループの部分模様が組み合わさった第２全体模様を表す表裏両面の装飾物を容易に作製することができる。即ち、表裏両面に全体模様が表された見栄えが良い装飾物を、手間をかけずに容易に作製することができる。
【００１０】
請求項８の切断データ作成装置によれば、重畳線設定手段で、一の部分模様の枠線の一部と他の部分模様の枠線の一部との重畳線が、第１グループの部分模様及び第２グループの部分模様の夫々の組み合わせに応じて設定される。また、連接手段で、一の部分模様の枠線と他の部分模様の枠線とを重畳線で繋げることで、第１グループの部分模様と第２グループの部分模様とにわたって、各枠線が連続的に繋がる形状に連接する。これにより、被切断物としてのシートについて、複数の部分模様に係る枠線のうち前記重畳線を除く枠線を切断する切断データを作成することができる。このため、作成した切断データに基づきシートを切断し、枠線で画された単位でシートを折り重ねれば、その表面側に第１グループの部分模様が組み合わさった第１全体模様を表し、裏面側に第２グループの部分模様が組み合わさった第２全体模様を表す表裏両面の装飾物を容易に作製することができる。即ち、表裏両面に全体模様が表された見栄えが良い装飾物を、手間をかけずに容易に作製することができる。
【００１１】
請求項１５のコンピュータ読取り可能な記録媒体は、請求項８〜１４の何れか一項記載の切断データ作成装置の各種処理手段としてコンピュータを機能させるためのプログラムを記録したものである。よって、前記プログラムを読み取って実行するコンピュータは、上記した請求項８〜１４の何れか一項に記載の発明と同様の効果を奏する。
【図面の簡単な説明】
【００１２】
【図１】第１実施形態について切断データ作成装置と切断装置を相互に接続して示す全体の斜視図
【図２】電気的構成を示すブロック図
【図３】（ａ）及び（ｂ）は、装飾物の第１全体模様を表す表面図及び第２全体模様を表す裏面図、（ｃ）は折り重ねる前のシートの展開図、（ｄ）及び（ｅ）は、第１全体模様及び第２全体模様の夫々について、シートの折り重なりを枠線で画された単位で、ずらして示す説明図
【図４】（ａ）〜（ｄ）は、各部分模様の切断線の説明図
【図５】切断データの構造の説明図
【図６】第１全体模様を構成する第１グループの部分模様とレイヤを表す図
【図７】第２全体模様を構成する第２グループの部分模様とレイヤを表す図
【図８】（ａ）〜（ｄ）は、第１グループ及び第２グループの基台レイヤ設定処理の説明図
【図９】第１全体模様に係る重畳線設定及び連接処理の説明図
【図１０】第２全体模様に係る重畳線設定及び連接処理の説明図
【図１１】切断データ作成プログラムの全体の処理の流れを示すフローチャート
【図１２】両面の図柄画像データ取得処理のフローチャート
【図１３】両面の重なり順決定処理のフローチャート
【図１４】部分模様の重なり順決定処理のフローチャート
【図１５】輪郭線の包含情報取得処理のフローチャート
【図１６】重なり順の並び替え処理のフローチャート
【図１７】基台レイヤ設定処理のフローチャート
【図１８】折り重ね用切断データ作成処理のフローチャート
【図１９】第１全体模様に係る切断データ作成処理のフローチャート
【図２０】第２全体模様に係る切断データ作成処理のフローチャート
【図２１】切断データ作成コア処理のフローチャート
【図２２】第１グループ側における折り線の切断データ作成処理のフローチャート
【図２３】第２グループ側における折り線の切断データ作成処理のフローチャート
【図２４】（ａ）〜（ｃ）は、他の装飾物の例で示す図３（ａ）〜（ｃ）相当図
【図２５】他の装飾物の例における部分模様とレイヤを表す図
【発明を実施するための形態】
【００１３】
以下、本開示の一実施形態について、図面を参照しながら説明する。図１は、切断データ作成装置１と、切断装置１１と、を示している。切断データ作成装置１と切断装置１１は、通信ケーブル１１１で相互に接続されている。
切断データ作成装置１は、例えば汎用のパーソナルコンピュータ（パソコン）で構成されている。即ち、切断データ作成装置１は、パソコン本体からなる作成装置本体部２と、例えばカラー液晶ディスプレイからなる表示部（以下、ディスプレイ３とする）と、キーボード４ａ及びマウス４ｂからなる入力部４と、を備えている。また、切断データ作成装置１は、カラー画像の読取り可能なイメージスキャナ１０（図２にのみ図示）を備えている。
【００１４】
図２に示すように、作成装置本体部２の制御回路５は、コンピュータ（ＣＰＵ）を主体に構成されており、ＲＯＭ６、ＲＡＭ７、ＥＥＰＲＯＭ８が接続されている。また、制御回路５には、前記キーボード４ａ及びマウス４ｂからなる入力部４、ディスプレイ３、イメージスキャナ１０、作成装置本体部２に着脱可能な外部記憶装置９が夫々接続される。ＥＥＰＲＯＭ８又は外部記憶装置９には、後述する切断データ作成プログラムが記憶されている。切断データ作成プログラムの実行時には、ディスプレイ３に、種々の模様や必要な情報が表示される。このとき、ユーザが、キーボード４ａ及びマウス４ｂを操作して必要な入力や指示を行なうことで、切断データ作成装置１は、切断データを作成する。
【００１５】
また、切断データ作成装置１は、通信部１１１ａを備えている。通信部１１１ａは、前記通信ケーブル１１１を介して、切断装置１１の通信部１１１ｂに接続されている。これにより、切断データ作成装置１と切断装置１１との間で、切断データを含むデータの送受信が可能である。なお、切断データ作成装置１の通信部１１１ａと、切断装置１１の通信部１１１ｂは、有線ではなく無線で接続される構成であってもよい。
【００１６】
切断装置１１は、切断データに基づいて切断対象となるシート材２００を切断するものである。切断装置１１は、図１に示すように、筐体としての本体カバー１２と、本体カバー１２内に配設されたプラテン１３と、カッタカートリッジ１４が搭載されるキャリッジ１５と、シート材２００を保持するための保持部材１００とを備えている。保持部材１００は矩形平板状に形成されており、その表面に粘着層１０１（図１の破線参照）を有する。また、保持部材１００は、粘着層１０１に貼り付けられたシート材２００を保持し、略水平なプラテン１３上に載置されるようにセットされる。
【００１７】
本体カバー１２は横長な矩形箱状をなしており、当該本体カバー１２における正面の開口部１２ａ側を切断装置１１の前側とする。以下の説明では、プラテン１３上において保持部材１００が移送される前後方向をＹ方向とし、Ｙ方向と直交する左右方向をＸ方向とする。また、プラテン１３と直交する上下方向をＺ方向とする。
【００１８】
本体カバー１２の右側上部には、ディスプレイ１６ａと、各種操作スイッチ１６ｂとが設けられている。ディスプレイ１６ａは、例えばカラー液晶ディスプレイからなり、ユーザに対して必要なメッセージ等の表示を行う。各種操作スイッチ１６ｂは、後述する切断データに係る各種の選択や、指示等の操作を行う。
【００１９】
本体カバー１２内の機枠（図示略）には、左右方向に延びる駆動ローラ１７及びピンチローラ１８が設けられている。駆動ローラ１７及びピンチローラ１８は、プラテン１３上にセットされた保持部材１００の両端部分を上下方向から挟む。本体カバー１２内には、Ｙ軸モータ２２（図２参照）とＹ軸移動機構（図示略）が設けられている。Ｙ軸移動機構は、Ｙ軸モータ２２の回転運動を駆動ローラ１７に伝達することで、保持部材１００をシート材２００と共にＹ方向へ移動させる。
【００２０】
また、本体カバー１２内の機枠には、キャリッジ１５をＸ方向へガイドするＸ軸ガイドレール１９が設けられている。本体カバー１２内には、Ｘ軸モータ２１（図２参照）とＸ軸移動機構（図示略）が設けられている。Ｘ軸移動機構は、Ｘ軸モータ２１の回転により、キャリッジ１５をＸ軸ガイドレール１９に沿ってＸ方向へ移動させる。
【００２１】
キャリッジ１５の前側には、カートリッジホルダ１５ａが設けられている。カートリッジホルダ１５ａには、カッタカートリッジ１４が着脱可能に装着される。また、キャリッジ１５内には、Ｚ軸モータ２３（図２参照）とＺ軸移動機構（図示略）が設けられている。Ｚ軸移動機構は、Ｚ軸モータ２３の回転により、カートリッジホルダ１５ａをカッタカートリッジ１４と共にＺ方向へ移動させる。
【００２２】
詳しい図示は省略するが、Ｚ軸移動機構によりカートリッジホルダ１５ａが下方へ移動されると、カッタカートリッジ１４下端に設けられたカッタの刃先は、保持部材１００に保持されたシート材２００に貫通する。この状態で、切断装置１１は、Ｙ軸モータ２２の駆動によりＹ軸移動機構を介して保持部材１００をＹ方向へ移動させると共に、Ｘ軸モータ２１の駆動によりＸ軸移動機構を介してキャリッジ１５をＸ方向へ移動させることで、シート材２００に対する切断動作を実行する。こうして、Ｘ軸移動機構、Ｙ軸移動機構、及びＺ軸移動機構、並びに対応するモータ２１，２２，２３は、カッタカートリッジ１４のカッタと保持部材１００に保持されたシート材２００とを相対的に移動させる相対移動手段として機能する。また、相対移動手段は、カッタカートリッジ１４と共に切断手段を構成する。
【００２３】
なお、切断装置１１では、例えば図１に示す保持部材１００における粘着層１０１の左角部を原点ＯとしたＸＹ座標系が設定され、そのＸＹ座標系に基づいて上記した保持部材１００とカッタカートリッジ１４との相対移動が行われる。なお、切断装置１１の詳細な構成については、本願出願人が出願した特開２０１４−１２４７４８号公報と同様の構成を採用することができ、その説明を省略する。
【００２４】
図２に示すように、切断装置１１の制御回路２５は、コンピュータ（ＣＰＵ）を主体に構成されており、ＲＯＭ２６、ＲＡＭ２７、通信部１１１ｂが夫々接続されている。ＲＯＭ２６には、切断動作（或いは印刷動作）を制御するための制御プログラム等が記憶されている。制御回路２５は、通信部１１１ｂ（通信ケーブル１１１）を介して、切断データ作成装置１で作成された切断データを取得する。
また、制御回路２５には、ディスプレイ１６ａ、各種操作スイッチ１６ｂが接続されると共に、Ｘ軸モータ２１、Ｙ軸モータ２２、Ｚ軸モータ２３を夫々駆動する駆動回路２１ａ，２２ａ，２３ａが接続されている。制御回路２５は、切断データに基づいて、Ｘ軸モータ２１、Ｙ軸モータ２２、Ｚ軸モータ２３等を制御し、保持部材１００に保持されたシート材２００に対する切断動作を自動で実行させる。
【００２５】
さて、図３（ａ）、（ｂ）に示す装飾物５１は、上記の切断装置１１によりシート材２００から切り抜いた１枚のシート片（シート）２０を、ジグザグ状（蛇腹状）に折り重ねることで作製されたものである。装飾物５１は、その表（おもて）面側に「頭にリボンをつけたクマの正面姿」の図柄を表し（図３（ａ）参照）、裏面側に「クマの後ろ姿」の図柄を表す（図３（ｂ）参照）。ここで、図３（ｃ）は、装飾物５１が１枚のシート片２０をジグザグ状に折り重ねた構成にあることを示す為に、シート片２０を折り重ねていない状態、即ちシート片２０を展開した状態を示している。図３（ｄ）及び（ｅ）は、表面側及び裏面側の図柄について夫々凹状になっていることを示す為に、便宜上、シート片２０を折り線４１〜４３の位置で分けてずらした状態で示している。
【００２６】
図３（ａ）に示す装飾物５１表面側の図柄において、「クマの正面姿の外形」を第１部分模様Ａとし、クマの「リボン」を第２部分模様Ｂとする。図３（ｂ）に示す装飾物５１裏面側の図柄において、「クマの後ろ姿の外形」を第３部分模様Ｃとし、クマの「しっぽ」を第４部分模様Ｄとする。また、装飾物５１の枠模様つまり「周囲（背景）」を構成する正方形のパーツを第５部分模様Ｅとする。装飾物５１を構成するシート片２０は、図３（ｃ）に示すように展開した状態で、その展開方向に延びる帯形状をなしている。この状態における、シート片２０全体の外形線は、シート片２０の折り重ねる単位を画する４つの枠線３１〜３４を展開方向に繋げた枠線３００である。
【００２７】
即ち、枠線３００は、シート片２０を４つのシート部２０−１，２０−２，２０−３，２０−４に画する４つの枠線３１，３２，３３，３４を展開方向に連接してなる。枠線３１は第３部分模様Ｃ、枠線３２は第４部分模様Ｄ、枠線３３は第２部分模様Ｂ、枠線３４は第１部分模様Ａの夫々の外方の周囲領域を画する（図３（ｄ）、（ｅ）参照）。本実施形態の枠線３１〜３４は、例えば何れも同じ寸法形状の正方形であり、第５部分模様Ｅの輪郭線に対応する。このように、シート片２０は、４つの部分模様Ａ〜Ｄを「周囲」の枠線３１〜３４を介して繋げた形状となっている。
部分模様Ａ〜Ｄの輪郭線と全体の枠線３００とを切断したシート片２０を、シート部２０−１〜２０−４単位でジグザグ状に折り重ねる。これにより、図３（ａ）に示す表面側で「リボンをつけたクマの正面姿」を表す部分模様Ａ，Ｂ及び「周囲」の部分模様Ｅが組み合わさった第１全体模様Ｍ１と、図３（ｂ）に示す裏面側で「クマの後ろ姿としっぽ」を表す部分模様Ｃ，Ｄ及び「周囲」の部分模様Ｅが組み合わさった第２全体模様Ｍ２との表裏両面の装飾物５１となる。
【００２８】
このとき、第１全体模様Ｍ１は、図３（ｄ）の分解図で示すように、シート部２０−２の表側に、第２部分模様Ｂを切り欠いたシート部２０−３、第１部分模様Ａを切り欠いたシート部２０−４の順に折り重なって、「リボン」と「クマの正面姿の外形」とが凹状に表わされる。この場合、シート片２０が、例えばその一面２０Bが茶色で、他面２０Tが橙色の両面色紙であるとすると、第１全体模様Ｍ１は、シート部２０−２，２０−４一面２０Bの茶色と、折り重ねることで表裏反転したシート部２０−３他面２０Tの橙色との２色で表わされる。
【００２９】
他方、第２全体模様Ｍ２は、図３（ｅ）の分解図で示すように、シート部２０−３の裏側に、第４部分模様Ｄを切り欠いたシート部２０−２、第３部分模様Ｃを切り欠いたシート部２０−１の順に折り重なって、「しっぽ」と「クマの後ろ姿の外形」とが凹状に表わされる。この場合、第２全体模様Ｍ２は、装飾物５１の裏面において、シート部２０−１，２０−３一面２０Bの茶色と、シート部２０−２他面２０Tの橙色との２色で表わされる。
【００３０】
また、シート片２０には、上記したジグザグ折りの折り線位置を示す切断線である山折り線４１と、谷折り線４２と、山折り線４３とが、図３（ｃ）の左右方向に交互に形成される。山折り線４１，４３は、シート片２０を山折りすることを示し、谷折り線４２は、シート片２０を谷折りすることを示す。各折り線４１〜４３はミシン目状の切断線であって、例えば、山折り線４１，４３が一点鎖線の切断線、谷折り線４２が破線の切断線として形成されている。なお、谷折り線と山折り線の種類（線種）は、上記に限定されない。
【００３１】
以下では、装飾物５１を作製する為に、シート材２００を切断する切断データを「折り重ね用切断データ」とする。なお、シート片２０の折り重ねにより、相互に重なるシート部２０−１〜２０−４を、裏面側から順番に第１、第２、第３、第４シート部と称する。また、図３等における符号２０の末尾の数字「−１」、「−２」、「−３」、「−４」は、第１シート部、第２シート部、第３シート部、第４シート部であることを示す。図３におけるシート片２０等の末尾の符号「B」及び「T」は、シート片２０の一面及び他面の色に対応しており、「B」は茶色、「T」は橙色であることを示す。更に、説明の便宜上、第１部分模様Ａ〜第５部分模様Ｅを、以後、単に「部分模様Ａ」〜「部分模様Ｅ」と称する。
【００３２】
前記折り重ね用切断データは、図５に示すように各部分模様Ａ〜Ｄや、枠線３００、折り重ねの目印（折り線）を順次切断する為のフィードデータ、座標データ、及び終了コードと、図示しない表示用のデータとを含む。
前記座標データは、切断装置１１のＸＹ座標系で規定されており、図５で上側に示す「第１座標データ（ｘ１，ｙ１）…第ｍ座標データ（ｘｍ，ｙｍ）」は、部分模様Ａ〜Ｄの切断線を切断する為の座標値を表す。当該座標データに係る「ｍ」は、各部分模様Ａ〜Ｄの形状に応じて個々に設定される座標データの数である。この座標データについて、図４（ａ）〜（ｄ）に示す部分模様Ａ〜Ｄを参照しながら説明する。
【００３３】
図４（ａ）の部分模様Ａの切断線は、「クマの正面姿」の輪郭線を構成する複数の線分Ａ１、Ａ２、…Ａｍからなり、各線分の両端つまり多数の点Ｐ０、Ｐ１、…Ｐｍが、曲線状をなす当該輪郭線上に所定間隔で設定されている。部分模様Ａの切断線データは、切断開始点Ｐ０、点Ｐ１、…切断終了点Ｐｍの夫々に対応するフィードデータ（Ｆ１ｘ０，Ｆ１ｙ０）、第１座標データ（ｘ１，ｙ１）、…第ｍ座標データ（ｘｍ，ｙｍ）を有する。フィードデータは、切断開始に際して切断装置１１の前記カッタを切断開始点Ｐ０へ移動させるデータである。つまり、フィードデータに基づいて、切断を伴わないフィード時におけるキャリッジ１５の切断開始点Ｐ０への移動と、カッタの上下動とが行われる。
【００３４】
図４（ｂ）に拡大して示す部分模様Ｂの切断線は、第１全体模様Ｍ１として表れる図３（ａ）の向きとは１８０度反転させた向き（後述する「対称形状」となる左右反転した形状）に設定されている。部分模様Ｂの切断線は、蝶々形をなす「リボン」の輪郭線を構成する線分Ｂ１，Ｂ２，…Ｂｍからなり、その切断線データは、切断開始点Ｐ０、点Ｐ１、…切断終了点Ｐｍの夫々に対応するフィードデータ（Ｆ２ｘ０，Ｆ２ｙ０）、第１座標データ（ｘ１，ｙ１）、…第ｍ座標データ（ｘｍ，ｙｍ）を有する。
【００３５】
図４（ｃ）の部分模様Ｃの切断線は、「クマの後ろ姿」の輪郭線を構成する複数の線分Ｃ１、Ｃ２、…Ｃｍからなり、その切断線データは、切断開始点Ｐ０、点Ｐ１、…切断終了点Ｐｍの夫々に対応するフィードデータ（Ｆ３ｘ０，Ｆ３ｙ０）、第１座標データ（ｘ１，ｙ１）、…第ｍ座標データ（ｘｍ，ｙｍ）を有する。なお、部分模様Ｃの切断線は、「右手を挙げた」クマの正面姿の部分模様Ａと整合する、クマの後ろ姿の外形を表す。
【００３６】
図４（ｄ）に拡大して示す部分模様Ｄの切断線は、円形をなす「しっぽ」の輪郭線を構成する線分Ｄ１、Ｄ２、…Ｄｍからなり、その切断線データは、フィードデータ（Ｆ４ｘ０，Ｆ４ｙ０）、第１座標データ（ｘ１，ｙ１）、…第ｍ座標データ（ｘｍ，ｙｍ）を有する。部分模様Ｄの切断線は、第２全体模様Ｍ２として表れる図３（ｂ）の向きとは対称形状となる向きに設定されている。
【００３７】
部分模様Ｅは、「周囲」を構成する正方形の輪郭線を有する。部分模様Ｅは、前述したように複数の部分模様Ｅを繋げた形状、つまり全体の枠線３００として切り抜かれるため、例えば枠線３４においては線分３４ａ，３４ｂ，３４ｃ（図４（ａ）、図１０（ｂ）参照）が切断線となる。枠線３００の切断線データは、切断開始点Ｐ０、点Ｐ１、…切断終了点Ｐ４の夫々に対応するフィードデータ（Ｆ５ｘ０，Ｆ５ｙ０）、第１座標データ（ｘ１，ｙ１）、…第４座標データ（ｘ４，ｙ４）を有する（図５、図１０（ｂ）参照）。
【００３８】
図５の下側に示す第１、第２、第３折り線の切断線データは、山折り線４１、谷折り線４２、山折り線４３に夫々対応する。各折り線４１〜４３の切断線データは、フィードデータ（Ｆ６ｘ０，Ｆ６ｙ０）〜や、座標データ（ｘ１，ｙ１）、ミシン目状の切断線の属性フラグ（図示略）を含む。属性フラグは、部分模様Ａ〜Ｄや枠線３００を切断するときの通常の切断線と、各折り線４１〜４３となるミシン目状の切断線とを区別するために付されるデータである。なお、ミシン目状の切断線は、制御回路２５が、切断動作中に、線分４１〜４３の種類に応じてカッタを間欠的に上下動させる制御を行うことで形成される。なお、図５に示すように、第３折り線４３の座標データの末尾は「終了コード」とされている。
【００３９】
切断装置１１の制御回路２５は、折り重ね用切断データに基づいて、上記した部分模様Ａ，Ｂ，Ｃ，Ｄ、枠線３００、第１、第２、第３折り線４１，４２，４３の順に、シート材２００の切断を行うように切断手段を制御する。即ち、先ずＸ軸移動機構及びＹ軸移動機構により、カッタカートリッジ１４即ちカッタを、切断開始点Ｐ０のＸＹ座標位置へ相対的に移動させる。次いで、Ｚ軸移動機構により、前記カッタの刃先をシート材２００における部分模様Ａの切断開始点Ｐ０に貫通させる。この状態で、Ｘ軸移動機構及びＹ軸移動機構により、当該刃先を、各点Ｐ０、Ｐ１、…を順次繋ぐようにして、夫々の座標へ向けて相対的に移動させ、線分Ａ１，Ａ２、…に沿ってシート材２００を切断する。こうして、切断終了点Ｐｍまでカッタを相対移動させることで、部分模様Ａ、つまり「クマの正面姿」の輪郭線に沿って切断を行う。同様に、部分模様Ｂ〜Ｄの各輪郭線、枠線３００、及び各折り線４１〜４３についても、夫々の切断線データに基づきカッタを相対移動させて順次切断する。
【００４０】
制御回路２５は、第３折り線４３の切断を終えると、前記終了コードに基づき、カッタの刃先をシート材２００から離間させて、キャリッジ１５の待機位置である原点Ｏへ移動させる。上記の切断動作により、部分模様Ａ〜Ｄの輪郭線、枠線３００、各折り線４１〜４３について夫々の切断線を切断して、シート材２００からシート片２０を切り抜くことができる。
【００４１】
次に、上記構成の作用について、図６〜図２３を参照しながら説明する。ここで、図１１〜図２３のフローチャートは、切断データ作成装置１の制御回路５が実行する切断データ作成プログラムの流れを示している。
【００４２】
切断データ作成装置１において、制御回路５は、切断データ作成のプログラムを起動すると、図１１に示す処理を実行する。先ず、制御回路５は、折り重ね用切断データの元とする表裏両面の図柄画像データを取得する処理を実行する（ステップＳ１、図１２参照）。
具体的には例えば「クマの正面姿」の図柄が描かれた原画を、ユーザの入力操作に基づきイメージスキャナ１０により読み取らせることで、制御回路５は、表面側の図柄画像データとして取得する（図１２のステップＳ１１、ステップＳ１２にてＹＥＳ）。前記原画に描画された図柄は、図３（ａ）の第１全体模様Ｍ１を表す為の図柄であって、後述する「周囲」、「クマの正面姿の外形」、「リボン」の３つのパーツから構成される図柄とする（図６（ａ）参照）。図柄の色としては、「周囲」は茶色、「クマの正面姿の外形」は橙色、「リボン」は茶色であり、より詳細には、部分模様Ａ（クマの正面姿の外形）の外側領域が茶色、部分模様Ａの内側且つ部分模様Ｂ（リボン）の外側領域が橙色、部分模様Ｂの内側領域が茶色である。
【００４３】
また、制御回路５は、ステップＳ１３において、ディスプレイ３に、「表面側と裏面側の図柄が同じか否か」を選択させる選択画面（図示略）を表示させる。ユーザは、選択画面を見ながら入力部４を操作して選択を行う。制御回路５は、入力部４からの選択指令が「図柄が同じ」である場合は（ステップＳ１３にてＹＥＳ）、ステップＳ１６に移行する。
【００４４】
ステップＳ１６において、制御回路５は、表面側と裏面側とで同じ図柄画像データを用いるとし、同一画像フラグをTrueに設定して、ステップＳ２へリターンする。ここで、同一画像フラグは、第１全体模様Ｍ１と第２全体模様Ｍ２を、同じ全体模様として設定するか、異なる全体模様として設定するかを示す情報である。具体的には、同一画像フラグがTrueの場合には、第１全体模様Ｍ１と第２全体模様Ｍ２を同じ全体模様として設定する。同一画像フラグがFalseの場合には、第１全体模様Ｍ１と第２全体模様Ｍ２を異なる全体模様として設定する。
【００４５】
他方、制御回路５は、入力部４からの選択指令が「図柄が同じではない」場合は（ステップＳ１３にてＮＯ）、ステップＳ１４に移行する。ステップＳ１４において、例えば「クマの後ろ姿」の図柄が描かれた２つ目の原画を、ユーザの入力操作に基づきイメージスキャナ１０により読み取らせることで、制御回路５は、裏面側の図柄画像データとして取得して（ステップＳ１５にてＹＥＳ）、ステップＳ２へリターンする。２つ目の原画に描画された図柄は、図３（ｂ）の第２全体模様Ｍ２を表す為の図柄であって、「周囲」、「クマの後ろ姿の外形」、「しっぽ」の３つのパーツから構成される図柄とする（図７（ａ）参照）。図柄の色としては、「周囲」は茶色、「クマの後ろ姿の外形」は橙色、「しっぽ」は茶色であり、より詳細には、部分模様Ｃ（クマの後ろ姿の外形）の外側領域が茶色、部分模様Ｃの内側且つ部分模様Ｄ（しっぽ）の外側領域が橙色、部分模様Ｄの内側領域が茶色である。
【００４６】
次いで、制御回路５は、装飾物５１の枠模様となる「周囲」の枠線３１〜３４を設定する為の処理を行う（図１１のステップＳ２）。ここで、本実施形態の枠線３１〜３４は、何れも同じ形状に設定されるものとし、その具体的形状について、後のステップＳ４で図柄画像データに基づき特定する設定を行うものとする。
また、制御回路５は、「周囲」の枠線３１〜３４を繋げて連接する連接方向を設定する（ステップＳ３）。詳しくは後述するように、枠線３１〜３４の連接方向は、その枠線３１〜３４の形状に応じた４つの方向（図９の矢印４０１〜４０４参照）のうちの何れかとなる。本実施形態では、図９の紙面右方向をＸ軸正方向とし、下方向をＹ軸正方向とした前記ＸＹ座標系において、当該連接方向をデフォルトでＸ軸正方向４０１及びＸ軸負方向４０２に指定する。このようなデフォルト方向は、制御回路５により、枠線３１〜３４の形状（座標データ）に応じて求められ、以下に説明するグループ毎に異なる方向４０１，４０２に設定される。
【００４７】
続いて、制御回路５は、ステップＳ４の重なり順決定処理を実行する。図１３に示すように、重なり順決定処理では、上記した図柄画像データに基づいて、表面側の図柄に含まれる部分模様を１つのグループ（第１グループ）として当該部分模様相互間での重なり順を決定すると共に（ステップＳ２１，Ｓ２２）、裏面側の図柄に含まれる部分模様を、もう１つのグループ（第２グループ）として当該部分模様相互間での重なり順を決定する（ステップＳ２３〜Ｓ２６）。
【００４８】
具体的には、制御回路５は、先ずステップＳ２１で表面側の図柄画像データを処理の対象として設定すると、ステップＳ２２で部分模様の重なり順を決定する（図１４参照）。この場合、制御回路５は、表面側の図柄画像データを周知の画像処理の手法で処理して、各輪郭線を色毎に抽出する（図１４のステップＳ３１）。このとき例えば、図６（ａ）で左から順に示すように、前記の「周囲」、「クマの正面姿の外形」、「リボン」の輪郭線が順次抽出されるものとする。図６（ａ）の丸で囲った「０」〜「２」の番号は抽出の順番であり、抽出される表面側の輪郭線の総数ｎは３つである。各輪郭線は、座標データを含むベクトルデータとして抽出され、前記抽出の順番に対応する「０」〜「２」の模様番号が付与される。
【００４９】
また、制御回路５は、図柄画像データに基づいて、「周囲」における画素の集合を茶色の単色領域、「クマの正面姿の外形」における画素の集合を橙色の単色領域、「リボン」における画素の集合を茶色の単色領域として識別する。制御回路５は、識別した各単色領域の色を、後述するレイヤ５０B，５０T，５０B（図６（ｂ）参照）の色としてＲＡＭ７に記憶する。こうして、制御回路５は、図６（ａ）の模様番号が０の「周囲」について、茶色の単色領域が枠模様を切断するための輪郭線で画された（囲われた）パーツ、つまり部分模様Ｅとして識別する。模様番号が１の「クマの正面姿の外形」について、橙色の単色領域を画する輪郭線を有する部分模様Ａとして識別し、模様番号が２の「リボン」について、茶色の単色領域を画する輪郭線を有する部分模様Ｂとして識別する。
【００５０】
これにより、制御回路５は、各輪郭線と、夫々の単色領域を表す各レイヤ５０B，５０T，５０Bとの対応付けが可能となる。また、制御回路５は、各レイヤ５０B，５０T，５０Bの枠線３２，３３，３４の設定処理を行う。本実施形態では、最も外側の「周囲」の輪郭線が、前述した正方形の枠線３２〜３４（図６（ｂ）参照）として設定されるものとする。そして、制御回路５は、部分模様Ｅ，Ａ，Ｂを第１グループとして、包含に関する情報を取得する包含情報取得処理に移行する（ステップＳ３２）。
【００５１】
図１５に示すように、包含情報取得処理では、先ず初期設定が行われる（ステップＳ４１）。ここで、制御回路５は、第１グループの部分模様Ｅ，Ａ，Ｂのうち一の部分模様と他の部分模様との包含関係を判別すべく、夫々の模様番号に対応する一のカウンタｉと他のカウンタ（対象カウンタｊ）を０にリセットして初期化する（ｉ＝ｊ＝０）。また、制御回路５は、各部分模様の階層の深さを表すｈ（ｉ）を０にリセットする。階層の深さｈ（ｉ）とは、部分模様相互間で包含される数を階層の深さとして表すものであり、「周囲」の部分模様Ｅの階層を最上位階層（深さ０）とした時の、各部分模様Ａ，Ｂ，Ｅの階層の深さｈ（０）〜ｈ（ｎ−１）である。
【００５２】
制御回路５は、カウンタｉと対象カウンタｊの値が夫々輪郭線の総数ｎより小さく（ステップＳ４２，Ｓ４３で夫々ＹＥＳ）且つそれらカウンタｉ，ｊの値が相互に一致しないこと（ステップＳ４４にてＮＯ）を条件に、部分模様の包含関係を判別する。現時点では、カウンタｉ，ｊの値が何れも０であるため（ステップＳ４４にてＹＥＳ）、模様番号が０の部分模様Ｅ，Ｅ同士で包含関係が判別されることはない。そこで、制御回路５は、部分模様Ｅとの判別対象を変更すべく、ステップＳ４７で対象カウンタｊを１だけインクリメントした１として（ｊ＝１）、ステップＳ４３にリターンする。
【００５３】
この場合、対象カウンタｊの値は、輪郭線の総数ｎより小さく且つカウンタｉの値と一致しないことから、ステップＳ４５に移行する。制御回路５は、一のOutline（ｉ）として模様番号ｉが０の部分模様Ｅの輪郭線が、他のOutline（ｊ）として模様番号ｊが１の部分模様Ａの輪郭線に包含されているか否かを判別する（ステップＳ４５）。Outline（ｉ）或いはOutline（ｊ）は、模様番号をｉ或いはｊとする部分模様の輪郭線のベクトルデータの集合を表す情報である。このとき、制御回路５は、各輪郭線の座標データに基づいて、部分模様ＥのOutline（０）が部分模様ＡのOutline（１）に包含されていないと判別する（ステップＳ４５にてＮＯ、図６（ａ）参照）。
【００５４】
この後、制御回路５は、ステップＳ４７で対象カウンタｊを１だけインクリメントした２として（ｊ＝２）、ステップＳ４３にリターンする。制御回路５は、対象カウンタｊの値が２の場合も、ステップＳ４５に移行し、模様番号ｉが０の部分模様ＥのOutline（０）について、模様番号ｊが２の部分模様ＢのOutline（２）に包含されていないと判別する（ステップＳ４５にてＮＯ、図６（ａ）参照）。
【００５５】
このように、部分模様ＥのOutline（０）は、他の部分模様Ａ，Ｂを囲う形状であることから、当該他の部分模様Ａ，ＢのOutline（ｊ）に包含されると判別されない。このため、制御回路５は、部分模様ＥのOutline（０）について、部分模様Ａ，ＢのOutline（ｊ）との包含関係を判別しても（ステップＳ４５）、ステップＳ４６が実行されず、部分模様Ｅの階層の深さｈ（０）は０のままである。それ故、制御回路５は、対象カウンタｊの値が輪郭線の総数ｎである３に達したと判断すると（ステップＳ４３にてＮＯ）、部分模様Ｅの階層の深さｈ（０）を０としてＲＡＭ７に記憶させる（ステップＳ４８）。
【００５６】
続いて、制御回路５は、対象カウンタｊを０にリセットすると共にカウンタｉを１だけインクリメントすることで（ステップＳ４９）、模様番号ｉが１の部分模様Ａについて、前記ステップＳ４２〜Ｓ４７を実行する。
この場合、制御回路５は、カウンタｉが１、対象カウンタｊが０であることから（ステップＳ４２，Ｓ４３で夫々ＹＥＳ、且つステップＳ４４にてＮＯ）、部分模様ＡのOutline（１）と部分模様ＥのOutline（０）との包含関係を判別する（ステップＳ４５）。制御回路５は、部分模様ＡのOutline（１）が部分模様ＥのOutline（０）に包含されていると判断すると（ステップＳ４５にてＹＥＳ）、部分模様Ａの階層の深さｈ（１）を１だけインクリメントして１とする（ステップＳ４６）。
【００５７】
この後、制御回路５は、模様番号ｉが１の部分模様Ａについて、対象カウンタｊを１ずつインクリメントして（ステップＳ４７）、包含関係を判別する対象を順次変更して処理を実行するが、対象カウンタｊが１のときｉ＝ｊとなる（ステップＳ４４にてＹＥＳ）。また、対象カウンタｊが２のとき、部分模様ＡのOutline（１）が他の部分模様ＢのOutline（２）に包含される関係にない（ステップＳ４５にてＮＯ、図６（ａ）参照）。このため、制御回路５は、部分模様ＡのOutline（１）について、模様番号ｊが２の部分模様ＢのOutline（２）との包含関係まで判別して、対象カウンタｊの値が３に達した時点で（ステップＳ４３にてＮＯ）、部分模様Ａの階層の深さ（ｈ（１）＝１）をＲＡＭ７に記憶させる（ステップＳ４８）。
【００５８】
続いて、制御回路５は、対象カウンタｊを０にリセットすると共にカウンタｉを１だけインクリメントすることで（ステップＳ４９）、模様番号ｉが２の部分模様Ｂについて、前記ステップＳ４２〜Ｓ４７を実行する。
この場合、制御回路５は、カウンタｉが２、対象カウンタｊが０であることから（ステップＳ４２，Ｓ４３で夫々ＹＥＳ、且つステップＳ４４にてＮＯ）、部分模様ＢのOutline（２）と部分模様ＥのOutline（０）との包含関係を判別する（ステップＳ４５）。制御回路５は、部分模様ＢのOutline（２）が部分模様ＥのOutline（０）に包含されていると判断すると（ステップＳ４５にてＹＥＳ）、部分模様Ｂの階層の深さｈ（２）を１だけインクリメントして１とする（ステップＳ４６）。
【００５９】
また、制御回路５は、対象カウンタｊの値を１だけインクリメントした１とし（ステップＳ４７）、部分模様ＢのOutline（２）と部分模様ＡのOutline（１）との包含関係を判別する（ステップＳ４３〜Ｓ４５）。制御回路５は、部分模様ＢのOutline（２）が部分模様ＡのOutline（１）に包含されていると判断すると（ステップＳ４５にてＹＥＳ）、部分模様Ｂの階層の深さｈ（２）を１だけインクリメントして２とする（ステップＳ４６）。
【００６０】
この後、制御回路５は、対象カウンタｊを１だけインクリメントして（ステップＳ４７）、その値が３に達したと判断すると（ステップＳ４３にてＮＯ）、部分模様Ｂの階層の深さ（ｈ（２）＝２）をＲＡＭ７に記憶させる（ステップＳ４８）。また、制御回路５は、対象カウンタｊを０にリセットすると共にカウンタｉを１だけインクリメントする（ステップＳ４９）。これにより、制御回路５は、カウンタｉの値が輪郭線の総数ｎである３に達した、つまり第１グループの部分模様Ｅ，Ａ，Ｂについて、夫々の階層の深さを取得したと判断すると（ステップＳ４２にてＮＯ）、ステップＳ３３にリターンする。
【００６１】
図１６は、ステップＳ３３における重なり順の並び替え処理を示している。この並び替え処理では、前記ステップＳ３１で抽出した第１グループの部分模様Ｅ，Ａ，Ｂについて、前述した凹状の全体模様Ｍ１となるように部分模様の順番を入れ替える。部分模様の順番の入れ替えは、図６（ａ）の丸で囲った模様番号と各Outline（０）〜（２）との対応付けを、部分模様の階層の深さに基づき変更することにより行う。
【００６２】
具体的には、図１６のステップＳ５１において、制御回路５は、一の部分模様のカウンタｉを０にリセットする。次に、ステップＳ５２で、制御回路５は、カウンタｉの値が輪郭線の総数ｎ−１よりも小さいか否かを判断する。最初は、カウンタｉの値が輪郭線の総数ｎ−１よりも小さい０であるため、ステップＳ５３に移行する。これに対し、カウンタｉの値が輪郭線の総数ｎ−１と等しいか又は大きい場合、ステップＳ６０に移行する。
【００６３】
制御回路５は、ステップＳ５３において、他の部分模様の対象カウンタｊを、カウンタｉに１だけインクリメントして（ｊ＝ｉ＋１）、１に設定する。次に、ステップＳ５４で、制御回路５は、対象カウンタｊの値が輪郭線の総数ｎよりも小さいか否かを判断する。対象カウンタｊの値が輪郭線の総数ｎよりも小さい場合は、ステップＳ５５に移行する。これに対し、対象カウンタｊの値が輪郭線の総数ｎに等しいか又は大きい場合、ステップＳ５９に移行する。ステップＳ５５では、制御回路５は、カウンタｉが対象カウンタｊと等しいか否かを判断する。カウンタｉの値が対象カウンタｊの値と等しい場合、ステップＳ５８に移行する。カウンタｉの値が対象カウンタｊの値と等しくない場合、ステップＳ５６に移行する。
【００６４】
ステップＳ５６において、制御回路５は、対象カウンタｊの値に対応する模様番号１の部分模様Ａ（Outline（１））が、カウンタｉの値に対応する模様番号０の部分模様Ｅ（Outline（０））よりも階層が深いか否かを判別する。この場合、部分模様Ａの階層の深さ（図６（ａ）のｈ（１）参照）について、部分模様Ｅの階層の深さ（ｈ（０）＝０）よりも大きい１であると判別する（ステップＳ５６にてＹＥＳ）。このため、制御回路５は、部分模様Ａの模様番号が部分模様Ｅの模様番号よりも小さくなるよう（部分模様Ａが部分模様Ｅに対して後方へ凹となるよう）、順番を入れ替える（ステップＳ５７）。こうして、階層が深い部分模様Ａの模様番号を「０」とし、部分模様Ｅの模様番号を「１」とするように部分模様Ｅ，Ａの順番を変更する。なお、ステップＳ５６でＮＯの場合、制御回路５は、部分模様の順番を変更することなくステップＳ５８に移行する。
【００６５】
次に、制御回路５は、ステップＳ５８で対象カウンタｊの値を１だけインクリメントした２とする。その後、ステップＳ５４に戻り、同様の処理を繰り返す。即ち、制御回路５は、判別対象を模様番号２の部分模様Ｂとして、カウンタｉの値に対応する模様番号０の部分模様Ａとの階層の深さの関係を判別する（ステップＳ５６）。この場合、部分模様Ｂは、部分模様Ａよりも階層が深いため（ステップＳ５６にてＹＥＳ）、部分模様Ｂの模様番号を「０」とし、部分模様Ａの模様番号を「２」とするように部分模様Ａ，Ｂの順番を変更する。
【００６６】
また、制御回路５は、ステップＳ５８で対象カウンタｊの値を１だけインクリメントした３とする。こうして、カウンタｉの値が０のまま、対象カウンタｊの値が輪郭線の総数ｎの値である「３」に達した時点で（ステップＳ５４にてＮＯ）、模様番号０の部分模様Ｂ、模様番号１の部分模様Ｅ、模様番号２の部分模様Ａの順番となる。
【００６７】
また、制御回路５は、カウンタｉの値を１だけインクリメントした１とし（ステップＳ５９、ステップＳ５２にてＹＥＳ）、対象カウンタｊの値をカウンタｉに１だけインクリメントした２とする（ステップＳ５３）。これにより、カウンタｉの値に対応する模様番号１の部分模様Ｅと、対象カウンタｊの値に対応する模様番号２の部分模様Ａとの間で、階層の深さの関係を判別して部分模様Ｅ，Ａの順番を入れ替える（ステップＳ５４〜Ｓ５７）。
【００６８】
この後、制御回路５は、対象カウンタｊの値を１だけインクリメントとした３とし（ステップＳ５８、ステップＳ５４にてＮＯ）、カウンタｉの値を１だけインクリメントした２、つまりｎ−１に達した時点で（ステップＳ５９、ステップＳ５２にてＮＯ）、模様番号０の部分模様Ｂ、模様番号１の部分模様Ａ、模様番号２の部分模様Ｅの順番となる。こうして、制御回路５は、第１全体模様Ｍ１を凹状に表す部分模様Ｂ，Ａ，Ｅの順番として、図６（ｂ）の四角で囲った「０」〜「２」の番号で示すように、最下位階層から順に小さい模様番号が付されるように変更する。
【００６９】
また、制御回路５は、ステップＳ６０において、レイヤ５０B，５０T，５０Bに対し、部分模様の輪郭線を変更後の前記順番に基づき当該レイヤ毎に設定する処理を行う。このレイヤの設定処理について、図６（ｂ）〜（ｄ）を参照しながら説明する。ここで、図６（ｂ）の下段に示すレイヤ５０B，５０T，５０Bは、前述したように上段の部分模様Ｂ，Ａ，Ｅの単色領域を表すものとして関連付けてある。従って、レイヤ５０B，５０T，５０Bの順番は、第１グループの模様番号つまりシート片２０を折り重ねたときに表面側に表れるシート部の表面側（前側）への重なり順の順番に対応する。
【００７０】
換言すれば、レイヤ５０B，５０T，５０Bの順番は、第１全体模様Ｍ１を表す３つのシート部のうち（図３（ｄ）参照）、基台となるシート部に対して、表面側に他のシート部が順次重なるときの順番に対応する。よって、制御回路５は、基台シート部に相当する基台レイヤ５０には順番「０」を、他のシート部に相当する第１、第２レイヤ５０には順番「１」、「２」を付与する。以下では、図６（ｂ）の左側から順に基台レイヤ５０B−０、第１レイヤ５０T−１、第２レイヤ５０B−２とする。
【００７１】
図３（ｄ）、図６（ｄ）に示すように、第１全体模様Ｍ１を凹状に表す場合、最も表面側に位置する前側のシート部−４（第２レイヤ５０B−２）に対して、部分模様Ａ,Ｂの内方を、後側のシート部２０−２，２０−３（基台レイヤ５０B−０、第１レイヤ５０T−１）で表す。そこで、制御回路５は、当該レイヤの設定処理において、部分模様Ａ，Ｂの輪郭線を、夫々１つ上位の階層のレイヤ５０B−２，５０T−１に対して設定する。これにより、レイヤと部分模様の輪郭線との対応付けは、図６（ｃ）に示すように順番が「１」のレイヤ５０T−１と部分模様Ｂ、順番が「２」のレイヤ５０B−２と部分模様Ａとして入れ替える。
【００７２】
また、順番が「０」の基台レイヤ５０B−０には、部分模様Ｅの輪郭線が枠線３２として対応付けられ、他のレイヤ５０T−１，５０B−２にも、共通する形状の枠線３３，３４が夫々対応付けられている（前記ステップＳ２，Ｓ３１参照）。こうして、制御回路５は、第１グループの部分模様について、レイヤ５０B−０〜５０B−２毎に対応付けられた枠線及び部分模様の輪郭線のベクトルデータの集合を「LayeredLine」としてＲＡＭ７に記憶させる。
【００７３】
この後、制御回路５は、図１３のステップＳ２３へリターンする。
ステップＳ２３において、制御回路５は、同一画像フラグがTrueに設定されているか否かを判断する。ここで、制御回路５は、同一画像フラグがTrueに設定されていると判断すると（ＹＥＳ）、第２グループの部分模様及び枠線の「LayeredLine」を、第１グループの部分模様及び枠線と同じ「LayeredLine」として記憶ＲＡＭ７に記憶させる（ステップＳ２６）。これにより、第２全体模様Ｍ２と第１全体模様Ｍ１を同じくする「LayeredLine」が記憶されることとなる。
【００７４】
これに対し、制御回路５は、同一画像フラグがFalseに設定されていると判断すると（ステップＳ２３にてＮＯ）、裏面側の図柄画像データを処理の対象として設定し（ステップＳ２４）、ステップＳ２５で裏面側の部分模様の重なり順を決定する。このように、ステップＳ２５では、表面側と異なる図柄画像データを用いた処理を行うが、ステップＳ２２の処理の流れと基本的に同じである。
【００７５】
即ち、制御回路５は、裏面側の図柄画像データに基づいて、各輪郭線を色毎に抽出する（図１４のステップＳ３１）。このとき例えば、図７（ａ）で左から順に示すように、前記の「周囲」、「クマの後ろ姿の外形」、「しっぽ」の輪郭線が、「０」、「１」、「２」の順番（丸で囲った模様番号）で抽出されるものとする。また、この場合、抽出される裏面側の輪郭線の総数ｎは、表面側と同じ３つである。
【００７６】
また、制御回路５は、裏面側の図柄画像データに基づいて、「周囲」における画素の集合を茶色の単色領域、「クマの後ろ姿の外形」における画素の集合を橙色の単色領域、「しっぽ」における画素の集合を茶色の単色領域として識別する。制御回路５は、識別した各単色領域の色を、レイヤ５０B，５０T，５０B（図７（ｂ）参照）の色としてＲＡＭ７に記憶する。こうして、制御回路５は、図７（ａ）の模様番号が０の「周囲」について、茶色の単色領域の枠模様を表す部分模様Ｅとして識別する。模様番号が１の「クマの後ろ姿の外形」について、橙色の単色領域を画する輪郭線を有する部分模様Ｃとして識別し、模様番号が２の「しっぽ」について、茶色の単色領域を画する輪郭線を有する部分模様Ｄとして識別する。
【００７７】
また、制御回路５は、「周囲」の輪郭線を、各レイヤ５０B，５０T，５０Bの枠線３３，３２，３１（図７（ｂ）参照）として設定する。そして、制御回路５は、部分模様Ｅ，Ｃ，Ｄを第２グループとして、包含情報取得処理に移行する（ステップＳ３２）。
図１５に示す包含情報取得処理において、制御回路５は、先ず初期設定を行う（ステップＳ４１）。ここで、制御回路５は、第２グループの部分模様Ｅ，Ｃ，Ｄのうち一の部分模様と他の部分模様との包含関係を判別すべく、カウンタｉと対象カウンタｊを０にリセットして初期化すると共に（ｉ＝ｊ＝０）、各部分模様の階層の深さを表すｈ（ｉ）を０にリセットする。
【００７８】
制御回路５は、現時点におけるカウンタｉ，ｊの値が何れも０であるため（ステップＳ４２，Ｓ４３で夫々ＹＥＳ、ステップＳ４４でＹＥＳ）、模様番号が０の部分模様Ｅ，Ｅ同士の包含関係を判別しない。そこで、制御回路５は、ステップＳ４７で対象カウンタｊを１だけインクリメントした１として（ｊ＝１）、ステップＳ４３にリターンする。このとき、対象カウンタｊの値は、輪郭線の総数ｎより小さく且つカウンタｉの値と一致しない（ステップＳ４３にてＹＥＳ、ステップＳ４４にてＮＯ）。
【００７９】
この場合、制御回路５は、模様番号ｉが０の部分模様ＥのOutline（０）が、模様番号ｊが１の部分模様ＣのOutline（１）に包含されているか否かを判別する（ステップＳ４５）。このとき、制御回路５は、各輪郭線の座標データに基づいて、部分模様ＥのOutline（０）が部分模様ＣのOutline（１）に包含されていないと判別する（ステップＳ４５にてＮＯ、図７（ａ）参照）。
【００８０】
この後、制御回路５は、ステップＳ４７で対象カウンタｊを１だけインクリメントした２として（ｊ＝２）、ステップＳ４３にリターンする。制御回路５は、対象カウンタｊの値が２の場合も（ステップＳ４３にてＹＥＳ、ステップＳ４４にてＮＯ）、模様番号ｉが０の部分模様ＥのOutline（０）について、模様番号ｊが２の部分模様ＤのOutline（２）に包含されていないと判別する（ステップＳ４５にてＮＯ、図７（ａ）参照）。このように、第２グループの部分模様ＥのOutline（０）も、他の部分模様Ｃ，Ｄに包含されない。このため、制御回路５は、対象カウンタｊの値が輪郭線の総数ｎである３に達したと判断すると（ステップＳ４３にてＮＯ）、部分模様Ｅの階層の深さｈ（０）を０としてＲＡＭ７に記憶させる（ステップＳ４８）。
【００８１】
続いて、制御回路５は、対象カウンタｊを０にリセットすると共にカウンタｉを１だけインクリメントすることで（ステップＳ４９）、模様番号ｉが１の部分模様Ｃについて、前記ステップＳ４２〜Ｓ４７を実行する。
この場合、制御回路５は、カウンタｉが１、対象カウンタｊが０であることから（ステップＳ４２，Ｓ４３で夫々ＹＥＳ、且つステップＳ４４にてＮＯ）、部分模様ＣのOutline（１）と部分模様ＥのOutline（０）との包含関係を判別する（ステップＳ４５）。制御回路５は、部分模様ＣのOutline（１）が部分模様ＥのOutline（０）に包含されていると判断すると（ステップＳ４５にてＹＥＳ）、部分模様Ｃの階層の深さｈ（１）を１だけインクリメントして１とする（ステップＳ４６）。
【００８２】
この後、制御回路５は、模様番号ｉが１の部分模様Ｃについて、対象カウンタｊを１ずつインクリメントして（ステップＳ４７）、包含関係を判別する対象を順次変更して処理を実行するが、対象カウンタｊが１のときｉ＝ｊとなる（ステップＳ４４にてＹＥＳ）。また、対象カウンタｊが２のとき、部分模様ＣのOutline（１）が他の部分模様ＤのOutline（２）に包含される関係にない（ステップＳ４５にてＮＯ、図７（ａ）参照）。このため、制御回路５は、部分模様ＣのOutline（１）について、模様番号ｊが２の部分模様ＤのOutline（２）との包含関係まで判別して、対象カウンタｊの値が３に達した時点で（ステップＳ４３にてＮＯ）、部分模様Ｃの階層の深さ（ｈ（１）＝１）をＲＡＭ７に記憶させる（ステップＳ４８）。
【００８３】
続いて、制御回路５は、対象カウンタｊを０にリセットすると共にカウンタｉを１だけインクリメントすることで（ステップＳ４９）、模様番号ｉが２の部分模様Ｄについて、前記ステップＳ４２〜Ｓ４７を実行する。
この場合、制御回路５は、カウンタｉが２、対象カウンタｊが０であることから（ステップＳ４２，Ｓ４３で夫々ＹＥＳ、且つステップＳ４４にてＮＯ）、部分模様ＤのOutline（２）と部分模様ＥのOutline（０）との包含関係を判別する（ステップＳ４５）。制御回路５は、部分模様ＤのOutline（２）が部分模様ＥのOutline（０）に包含されていると判断すると（ステップＳ４５にてＹＥＳ）、部分模様Ｄの階層の深さｈ（２）を１だけインクリメントして１とする（ステップＳ４６）。
【００８４】
また、制御回路５は、対象カウンタｊの値を１だけインクリメントした１とし（ステップＳ４７）、部分模様ＤのOutline（２）と部分模様ＣのOutline（１）との包含関係を判別する（ステップＳ４３〜Ｓ４５）。制御回路５は、部分模様ＤのOutline（２）が部分模様ＣのOutline（１）に包含されていると判断すると（ステップＳ４５にてＹＥＳ）、部分模様Ｄの階層の深さｈ（２）を１だけインクリメントして２とする（ステップＳ４６）。
【００８５】
この後、制御回路５は、模様番号ｉが２の部分模様Ｄについて、対象カウンタｊを１ずつインクリメントして（ステップＳ４７）、包含関係を判別する対象を順次変更して処理を実行するが、対象カウンタｊが２のときｉ＝ｊとなる（ステップＳ４４にてＹＥＳ）。それ故、対象カウンタｊを１だけインクリメントして（ステップＳ４７）、その値が３に達したと判断すると（ステップＳ４３にてＮＯ）、部分模様Ｄの階層の深さ（ｈ（２）＝２）をＲＡＭ７に記憶させる（ステップＳ４８）。また、制御回路５は、対象カウンタｊを０にリセットすると共にカウンタｉを１だけインクリメントする（ステップＳ４９）。これにより、制御回路５は、カウンタｉの値が輪郭線の総数ｎである３に達した、つまり第２グループの部分模様Ｅ，Ｃ，Ｄについて、夫々の階層の深さを取得したと判断すると（ステップＳ４２にてＮＯ）、ステップＳ３３にリターンする。
【００８６】
図１６に示す、ステップＳ３３の重なり順の並び替え処理では、前記ステップＳ３１で抽出した第２グループの部分模様Ｅ，Ｃ，Ｄについて、前述した凹状の全体模様Ｍ２となるように部分模様の順番を入れ替える。部分模様の順番の入れ替えは、図７（ａ）の丸で囲った模様番号と各Outline（０）〜（２）との対応付けを、部分模様の階層の深さに基づき変更することにより行う。
【００８７】
即ち、図１６のステップＳ５１において、制御回路５は、カウンタｉを０にリセットする。この場合、制御回路５は、カウンタｉの値が輪郭線の総数ｎ−１よりも小さい０であると判断し（ステップＳ５２にてＹＥＳ）、ステップＳ５３において、対象カウンタｊを、カウンタｉに１だけインクリメントして（ｊ＝ｉ＋１）、１に設定する。これにより、制御回路５は、対象カウンタｊの値が輪郭線の総数ｎよりも小さく、且つカウンタｉの値が対象カウンタｊの値と等しくないと判断し（ステップＳ５４にてＹＥＳ、且つステップＳ５５にてＮＯ）、ステップＳ５６に移行する。
【００８８】
ステップＳ５６において、制御回路５は、対象カウンタｊの値に対応する模様番号１の部分模様Ｃが、カウンタｉの値に対応する模様番号０の部分模様Ｅよりも階層が深いか否かを判別する。この場合、部分模様Ｃの階層の深さ（図７（ａ）のｈ（１）参照）について、部分模様Ｅの階層の深さ（ｈ（０）＝０）よりも大きい１であると判別する（ステップＳ５６にてＹＥＳ）。このため、制御回路５は、部分模様Ｃの模様番号が部分模様Ｅの模様番号よりも小さくなるよう（部分模様Ｃが部分模様Ｅに対して凹となるよう）、順番を入れ替える（ステップＳ５７）。こうして、階層が深い部分模様Ｃの模様番号を「０」とし、部分模様Ｅの模様番号を「１」とするように部分模様Ｅ，Ｃの順番を変更する。
【００８９】
次に、制御回路５は、ステップＳ５８で対象カウンタｊの値を１だけインクリメントした２とした後、ステップＳ５４に戻り、同様の処理を繰り返す。即ち、制御回路５は、判別対象を模様番号２の部分模様Ｄとして、カウンタｉの値に対応する模様番号０の部分模様Ｃとの階層の深さの関係を判別する（ステップＳ５６）。この場合、部分模様Ｄは、部分模様Ｃよりも階層が深いため（ステップＳ５６にてＹＥＳ）、部分模様Ｄの模様番号を「０」とし、部分模様Ｃの模様番号を「２」とするように部分模様Ｃ，Ｄの順番を変更する。
【００９０】
また、制御回路５は、ステップＳ５８で対象カウンタｊの値を１だけインクリメントした３とする。こうして、カウンタｉの値が０のまま、対象カウンタｊの値が輪郭線の総数ｎの値である「３」に達した時点で（ステップＳ５４にてＮＯ）、模様番号０の部分模様Ｄ、模様番号１の部分模様Ｅ、模様番号２の部分模様Ｃの順番となる。
【００９１】
また、制御回路５は、カウンタｉの値を１だけインクリメントした１とし（ステップＳ５９、ステップＳ５２にてＹＥＳ）、対象カウンタｊの値をカウンタｉに１だけインクリメントした２とする（ステップＳ５３）。これにより、カウンタｉの値に対応する模様番号１の部分模様Ｅと、対象カウンタｊの値に対応する模様番号２の部分模様Ｃとの間で、階層の深さの関係を判別して部分模様Ｅ，Ｃの順番を入れ替える（ステップＳ５４〜Ｓ５７）。
【００９２】
この後、制御回路５は、対象カウンタｊの値を１だけインクリメントとした３とし（ステップＳ５８、ステップＳ５４にてＮＯ）、カウンタｉの値を１だけインクリメントした２、つまりｎ−１に達した時点で（ステップＳ５９、ステップＳ５２にてＮＯ）、模様番号０の部分模様Ｄ、模様番号１の部分模様Ｃ、模様番号２の部分模様Ｅの順番となる。こうして、制御回路５は、第２全体模様Ｍ２を凹状に表す部分模様Ｄ，Ｃ，Ｅの順番として、図７（ｂ）の四角で囲った「０」〜「２」の番号で示すように、最下位階層から順に小さい模様番号が付されるように変更する。
【００９３】
また、制御回路５は、ステップＳ６０において、レイヤ５０B，５０T，５０Bに対し、部分模様の輪郭線を変更後の前記順番に基づき当該レイヤ毎に設定する処理を行う。このレイヤの設定処理について、図７（ｂ）〜（ｄ）を参照しながら説明する。図７（ｂ）の下段に示すレイヤ５０B，５０T，５０Bは、上段の第２グループの部分模様Ｄ，Ｃ，Ｅの単色領域を表すものとして関連付けてあり、レイヤ５０B，５０T，５０Bの順番は、シート片２０を折り重ねたときに裏面側に表れるシート部の裏面側への重なり順の順番に対応する。つまり、レイヤ５０B，５０T，５０Bの順番は、第２全体模様Ｍ２を表す３つのシート部のうち（図３（ｅ）参照）、基台となるシート部に対して、裏面側に他のシート部が順次重なるときの順番に対応する。よって、制御回路５は、基台シート部に相当する基台レイヤ５０には順番「０」を、他のシート部に相当する第１、第２レイヤ５０には順番「１」、「２」を付与する。以下では、図７（ｂ）の左側から順に基台レイヤ５０B−０、第１レイヤ５０T−１、第２レイヤ５０B−２とする。
【００９４】
図３（ｅ）、図７（ｄ）に示すように、第２全体模様Ｍ２を凹状に表す場合、最も表面側に位置するシート部２０−４（第２レイヤ５０B−２）に対して、部分模様Ｃ,Ｄの内方を、後側のシート部２０−２，２０−３（第１レイヤ５０T−１、基台レイヤ５０B−０）で表す。そこで、制御回路５は、当該レイヤの設定処理において、部分模様Ｃ，Ｄの輪郭線を、夫々１つ上位の階層のレイヤ５０B−２，５０T−１に対して設定する。これにより、レイヤと部分模様の輪郭線との対応付けは、図７（ｄ）に示すように順番が「１」のレイヤ５０T−１と部分模様Ｄ、順番が「２」のレイヤ５０B−２と部分模様Ｃとして入れ替える。
【００９５】
また、順番が「０」の基台レイヤ５０B−０には、部分模様Ｅの輪郭線が枠線３３として対応付けられ、他のレイヤ５０T−１，５０B−２にも、共通する形状の枠線３２，３１が夫々対応付けられている（前記ステップＳ２，Ｓ３１参照）。こうして、制御回路５は、第２グループの部分模様について、レイヤ５０B−０〜５０B−２毎に対応付けられた枠線及び部分模様の輪郭線のベクトルデータの集合からなる「LayeredLine」をＲＡＭ７に記憶させる。
この後、制御回路５は、図１３のステップＳ２７に移行する。ステップＳ２７において、制御回路５は、ディスプレイ３に、「基台レイヤを設定するか否か」を選択させる選択画面（図示略）を表示させる。ユーザは、選択画面を見ながら入力部４を操作して選択を行う。制御回路５は、入力部４からの選択指令が「基台レイヤを設定する」である場合は（ステップＳ２７にてＹＥＳ）、ステップＳ２８に移行する。他方、制御回路５は、入力部４からの選択指令が「基台レイヤを設定しない」である場合は（ステップＳ２７にてＮＯ）、リターンして図１１のステップＳ５に移行する。
【００９６】
「基台レイヤを設定する」場合には、図１７に示す基台レイヤ設定処理において、制御回路５は、第１グループで順番が「１」のLayeredLine（１）が、第２グループで順番が「１」のLayeredLine（１）の対称形状と一致するか否かを判断する（ステップＳ６１）。即ち、第１グループの第１レイヤ５０T−１の枠線３３及び部分模様Ｂと、第２グループの第１レイヤ５０T−１の枠線３２及び部分模様Ｄの対称形状と照合する（図６（ｄ）と図７（ｄ）参照）。枠線３２及び部分模様Ｄの対称形状は、図７（ｄ）の枠線３２及び部分模様Ｄを紙面裏側から見た形状であって、枠線３２及び部分模様Ｄを、後述する線対称の形状とする（左右反転させる）ようにLayeredLine（１）を変換することで求められる。なお、図７（ｄ）に示したように、部分模様Ｄは、左右方向における枠線３２内の中央に位置する円形であるため、その対称形状と反転前の元の形状は一致する。
【００９７】
ここで、第１グループの枠線３３は、第２グループの枠線３２の対称形状と一致する正方形であるが、第１グループの部分模様Ｂは、第２グループの部分模様Ｄの「しっぽ」の対称形状と一致しない「リボン」の形状である。従って、制御回路５は、第１グループのLayeredLine（１）のデータと第２グループのLayeredLine（１）を対称形状に変換したデータに基づいて、第１グループのLayeredLine（１）が、第２グループのLayeredLine（１）の対称形状と一致しないと判断する（ステップＳ６１にてＮＯ）。なお、本実施形態の装飾物５１と異なり、第１グループのLayeredLine（１）が第２グループのLayeredLine（１）の対称形状と一致する場合もあるが、そのステップＳ６２、Ｓ６６について詳しくは後述する。
【００９８】
また、制御回路５は、上記ステップＳ６１で判断した第１グループの部分模様Ｂが、第２グループの部分模様Ｄの対称形状と交差関係又は包含関係にあるか否かを判断する（ステップＳ６３）。この場合、制御回路５は、部分模様ＢのOutlineが部分模様Ｄの対称形状のOutlineと交差する関係が無く、又、部分模様ＢのOutlineが部分模様Ｄの対称形状のOutlineに対して包含する関係若しくは包含される関係も無いと判断する（ステップＳ６３にてＮＯ）。
【００９９】
続いて、制御回路５は、第１グループの基台レイヤ５０B−０と第２グループの基台レイヤ５０B−０に関して、レイヤ数を減らす処理を行う（ステップＳ６４，Ｓ６５）。この処理について、図８を参照しながら説明する。ここで、図８（ａ）及び（ｃ）は、図６（ｄ）及び図７（ｄ）相当図であり、第１グループ及び第２グループの夫々の基台レイヤ５０B−０〜第２レイヤ５０B−２を表す。
【０１００】
図８（ａ）に示す第１グループの左側のレイヤは、LayeredLine（０）の枠線３２のみが設定された基台レイヤ５０B−０である。制御回路５は、当該基台レイヤ５０B−０のLayeredLine（０）のデータを、上記した第２グループのLayeredLine（１）を対称形状に変換したデータと入れ替える（ステップＳ６４）。これにより、図８（ｂ）に示すように、第１グループにおける基台レイヤ５０B−０は、第２グループの部分模様Ｄの対称形状を含むLayeredLine（０）に更新される（破線矢印参照）。
【０１０１】
図８（ｃ）に示す第２グループの左側のレイヤは、LayeredLine（０）の枠線３３のみが設定された基台レイヤ５０B−０である。制御回路５は、当該基台レイヤ５０B−０をLayeredLine（０）のデータごと削除すると共に、当該削除に伴い、その余のレイヤ５０T−１，５０B−２の順番「１」、「２」を「０」、「１」に繰り上げる（ステップＳ６５）。これにより、図８（ｄ）に示すように、第２グループは、枠線３２と部分模様ＤをLayeredLine（０）とする新たな基台レイヤ５０T−０、及び枠線３１と部分模様ＣをLayeredLine（１）とする新たな第１レイヤ５０B−１に更新される。この結果、第２グループの基台レイヤ５０T−０は、図８（ｂ）に示す第１グループの基台レイヤ５０B−０と同じレイヤ（LayeredLine（０））として識別される。
【０１０２】
こうして、制御回路５は、ステップＳ６４，Ｓ６５の実行により、レイヤ数Ｎを、第２グループでは「２」に減らす一方、１グループでは「３」として、ステップＳ５へリターンする。なお、前記ステップＳ６３において、第１グループにおけるLayeredLine（１）の部分模様が、第２グループにおけるLayeredLine（１）の部分模様の対称形状と交差関係又は包含関係にあると判断した場合（ＹＥＳ）、レイヤ数Ｎを減らす処理を実行することなく、ステップＳ５へリターンする。
【０１０３】
図１８は、ステップＳ５で実行される折り重ね用切断データ作処理の流れを示しており、ステップＳ７１の第１全体模様Ｍ１の切断データ作成処理と、ステップＳ７２の第２全体模様Ｍ２の切断データ作成処理とが順次実行される。
具体的には、図１９に示す第１全体模様Ｍ１の切断データ作成処理において、制御回路５は、先ずレイヤの順番に対応するカウンタｋを１に設定し、第１グループの基台レイヤ５０B−０に対して、順番が「１」の第１レイヤ５０T−１から連接するときの初期設定を行う（ステップＳ８１）。また、制御回路５は、前記折り線位置を特定するTmpLapLine（ｋ）をNullに設定する。TmpLapLine（ｋ）は、レイヤ毎に設定されたLayeredLine（ｋ）の枠線３１〜３４上における、折り線位置を示す線のベクトルデータの集合を表す情報である。
【０１０４】
また、制御回路５は、初期設定として、CutOutlineを、第１グループのLayeredLine（０）のベクトルデータ、つまり基台レイヤ５０B−０の枠線３２のベクトルデータに設定する（ステップＳ８２）。CutOutlineは、切断線データを作成するための、枠線や輪郭線のベクトルデータの集合を表す情報である。更に、制御回路５は、連接方向をＸ軸正方向４０１に設定して、第１グループのLayeredLine（０）の枠線３２上にCutLapLineを設定する。CutLapLineは、切断線データを作成するための、折り線位置を示す線のベクトルデータの集合を表す情報である。具体的には、CutLapLineは、前記ステップＳ３で指定された第１グループの連接方向に応じて、枠線３２上におけるＸ軸正方向４０１側の線分３２ｂに設定される（図９（ａ）の太線参照）。
【０１０５】
そして、制御回路５は、レイヤ数Ｎを第１グループのレイヤ数である「３」に設定して、切断データ作成のコアとなる処理を実行する（ステップＳ８３）。図２１に示すように、切断データ作成コア処理において、制御回路５は、カウンタｋが第１グループのレイヤ数Ｎよりも小さいか否かを判断する（ステップＳ１０１）。最初は、カウンタｋの値が、第１グループのレイヤ数Ｎよりも小さい１であるため、ステップＳ１０２に移行する。これに対し、カウンタｋの値が、第１グループのレイヤ数Ｎと等しい３か又はレイヤ数Ｎより大きい場合、ステップＳ８４へリターンする。制御回路５は、ステップＳ１０２において、カウンタｋの値が奇数か否かを判断する。カウンタｋの値が奇数の場合（ＹＥＳ）、ステップＳ１０３に移行する一方、カウンタｋの値が偶数の場合（ＮＯ）、ステップＳ１０４に移行する。このとき、ｋの値は１であることから（ステップＳ１０２にてＹＥＳ）、ステップＳ１０３へ移行する。
【０１０６】
ステップＳ１０３において、制御回路５は、現時点のカウンタｋの値（＝１）に対応する第１レイヤ５０T−１について、そのLayeredLine（１）の枠線３３上にTmpLapLine（１）を設定する。この場合、図９（ａ）の太線で示すように、TmpLapLine（１）は、前記ステップＳ３で指定された第１グループの連接方向に基づき、当該枠線３３上におけるＸ軸正方向４０１側の線分３３ｂに設定される。TmpLapLine（１）として設定される線分３３ｂ或は前記CutLapLineとして設定される線分３２ｂは、注目する一のレイヤ５０T−１（部分模様Ｂ）の枠線３３の一部と他のレイヤ５０B−０（部分模様Ｄ）の枠線３２の一部とを重ねるための重畳線である。これらの線分３２ｂ，３３ｂは、自身の線で折り返す折返し方向（或はＸ軸正方向４０１）に直交する線分であるが、略直交する線分としてもよい。
【０１０７】
そして、制御回路５は、第１レイヤ５０T−１について、TmpLapLine（１）の線分３３ｂを基準に、部分模様Ｂ及び枠線３３が対称形状となるようにLayeredLine（１）を変換する（ステップＳ１０５）。これにより、LayeredLine（１）は、線分３３ｂを対称軸として、部分模様Ｂ及び枠線３３を線対称の形状としたデータに変換される（図４（ｂ）、図９（ａ）参照）。
【０１０８】
続いて、制御回路５は、CutOutlineに設定されている基台レイヤ５０B−０のLayeredLine（０）と、第１レイヤ５０T−１のLayeredLine（１）とを合成する（ステップＳ１０６）。この合成において、制御回路５は、LayeredLine（０）の枠線３２とLayeredLine（１）の枠線３３とを、夫々のCutLapLine，TmpLapLine（１）たる線分３２ｂ，３３ｂで重畳させて繋げた長方形状に連接する（図９（ａ）参照）。これにより、制御回路５は、CutOutlineを、２つの枠線３２，３３を繋げた線分３２ａ，３３ａ，３３ｄ，３３ｃ，３２ｃ，３２ｄからなる枠線２９８と、部分模様Ｄ，Ｂの輪郭線とのベクトルデータに設定（更新）する。また、制御回路５は、重畳させた２つの線分３２ｂ，３３ｂを、１つのLapLine（０）として更新する。
【０１０９】
なお、制御回路５は、前記ステップＳ１０５，Ｓ１０６の実行に伴い、第１レイヤ５０T−１の橙色の単色領域を、茶色の単色領域を表す第１レイヤ５０B−１に変更する（図９（ａ）参照）。即ち、カウンタｋの値が奇数の場合（前記ステップＳ１０２にてＹＥＳ）、対応するシート部２０−３が折り返しに伴い表裏反転するため、シート片２０の表裏の色に対応させて橙色から茶色のレイヤ５０B−１に変更する。
【０１１０】
次に、制御回路５は、CutLapLineを、CutOutlineの枠線２９８上におけるＸ軸正方向４０１側の線分３３ｄに設定する（ステップＳ１０７）。また、制御回路５は、ステップＳ１０８でカウンタｋの値を１だけインクリメントすることで、順番が「２」の第２レイヤ５０B−２を対象として、ステップＳ１０１〜Ｓ１０７を実行する。
この場合、カウンタｋの値は２であり（ステップＳ１０１にてＹＥＳ）、制御回路５により、奇数でないと判断される（ステップＳ１０２にてＮＯ）。また、制御回路５は、第２レイヤ５０B−２について、そのLayeredLine（２）の枠線３４上にTmpLapLine（２）を設定する（ステップＳ１０４）。このとき、図９（ｂ）の太線で示すように、TmpLapLine（２）は、前記連接方向に基づき、枠線３４上における当該連接方向とは反対側（Ｘ軸負方向４０２側）の線分３４ｄに設定される。
【０１１１】
続いて、制御回路５は、CutOutlineと、第２レイヤ５０B−２のLayeredLine（２）とを合成する（ステップＳ１０６）。この合成において、制御回路５は、CutOutlineの枠線２９８と第２レイヤ５０B−２の枠線３４とを、夫々のCutLapLine，TmpLapLine（２）たる線分３３ｄ，３４ｄで重畳させて連接する（図９（ｂ）参照）。これにより、制御回路５は、CutOutlineを、枠線３２〜３４を繋げた線分３２ａ，３３ａ，３４ａ，３４ｂ，３４ｃ，３３ｃ，３２ｃ，３２ｄからなる枠線２９９と、部分模様Ｄ，Ｂ，Ａの輪郭線とのベクトルデータに更新する。また、制御回路５は、重畳させた２つの線分３３ｄ，３４ｄを、１つのLapLine（１）として更新する。
【０１１２】
この後、制御回路５は、CutLapLineを、CutOutlineの枠線２９９上におけるＸ軸正方向４０１側の線分３４ｂに設定する（ステップＳ１０７）。また、制御回路５は、カウンタｋの値を１だけインクリメントすると（ステップＳ１０８）、ステップＳ１０１にて、カウンタｋの値「３」が第１グループのレイヤ数Ｎに達したと判断し（ＮＯ）、ステップＳ８４にリターンする。こうして、制御回路５は、第１全体模様Ｍ１に係る部分模様Ｄ，Ｂ，Ａの輪郭線及び枠線２９９のCutOutlineをＲＡＭ７に記憶させると共に、LapLine（０）、（１）を第１グループと対応付けてＲＡＭ７に記憶させ（ステップＳ８４）、第２全体模様Ｍ２の切断データ作成処理に移行する（ステップＳ７２にリターンする）。
。
【０１１３】
図２０に示す第２全体模様Ｍ２の切断データ作成処理において、制御回路５は、先ず初期設定として、レイヤの順番に対応するカウンタｋを１に設定すると共に、TmpLapLine（ｋ）をNullに設定する（ステップＳ９１）。また、制御回路５は、レイヤ数Ｎを第２グループのレイヤ数である「２」に設定して、LayeredLine（０）〜（Ｎ−１）を、第２グループの部分模様及び枠線を左右反転させたLayeredLine（０）、（１）に設定する（ステップＳ９２）。
【０１１４】
具体的には、図１０（ａ）の左側に示す第２グループの基台レイヤ５０T−０と第１レイヤ５０B−１は、前記ステップＳ６５で順番を繰り上げたレイヤ５０T−０，５０B−１である。これらレイヤ５０T−０，５０B−１の部分模様Ｄ，Ｃは、第２全体模様Ｍ２として装飾物５１の裏面側に表れる。それ故、各レイヤ５０T−０，５０B−１は、装飾物５１を裏返して（表裏反転させて）全体模様Ｍ２を見るときの、当該裏返しによる左右反転に対応させる必要がある。この点、図１０（ａ）の右側に示す、部分模様Ｄ及び枠線３２を左右反転させた基台レイヤ５０T−０のLayeredLine（０）は、前述した第１グループの基台レイヤ５０B−０のLayeredLine（０）として、CutOutlineの作成に係る処理が既に行われている（図８、図９参照）。従って、ステップＳ９２では、処理の対象として部分模様Ｃ及び枠線３１を左右反転させた第１レイヤ５０B−１のLayeredLine（１）に設定される。
【０１１５】
続いて、制御回路５は、連接方向をＸ軸負方向４０２に設定して、CutOutlineの枠線２９９上にCutLapLineを設定する（ステップＳ９３）。このときのCutLapLineは、第１グループの部分模様と第２グループの部分模様とにわたって、各枠線を連続的に繋げるために、第２グループの連接方向に応じて、枠線２９９上におけるＸ軸負方向４０２側の線分３２ｄに設定し直すものである（図１０（ｂ）の太線、図９（ｂ）参照）。
【０１１６】
そして、制御回路５は、切断データ作成コア処理を実行する（ステップＳ９４）。図２１に示す切断データ作成コア処理において、制御回路５は、カウンタｋが第２グループのレイヤ数Ｎよりも小さいか否かを判断する（ステップＳ１０１）。最初は、カウンタｋの値が、第２グループのレイヤ数Ｎよりも小さい１であるため、ステップＳ１０２に移行する。次いで、制御回路５は、ステップＳ１０２において、カウンタｋの値が奇数であると判断すると（ＹＥＳ）、ステップＳ１０３へ移行する。
【０１１７】
ステップＳ１０３において、制御回路５は、現時点のカウンタｋの値（＝１）に対応する第１レイヤ５０B−１について、そのLayeredLine（１）の枠線３１上にTmpLapLine（１）を設定する。この場合、図１０（ｂ）の太線で示すように、TmpLapLine（１）は、前記ステップＳ３で指定された第２グループの連接方向に基づき、当該枠線３１上におけるＸ軸負方向４０２側の線分３１ｂに設定される。
【０１１８】
また、制御回路５は、第１レイヤ５０B−１について、TmpLapLine（１）の線分３１ｂを基準に、部分模様Ｂ及び枠線３１が対称形状となるようにLayeredLine（１）を変換する（ステップＳ１０５）。これにより、LayeredLine（１）は、線分３１ｂを対称軸として、部分模様Ｃ及び枠線３１を線対称の形状としたデータに変換される（図４（ｃ）、図１０（ｂ）参照）。
【０１１９】
続いて、制御回路５は、CutOutlineに設定されている枠線２９９と、第１レイヤ５０B−１のLayeredLine（１）とを合成する（ステップＳ１０６）。この合成において、制御回路５は、CutOutlineとしての枠線２９９とLayeredLine（１）の枠線３１とを、夫々のCutLapLine，TmpLapLine（１）たる線分３２ｄ，３１ｂで重畳させて繋げた長方形状に連接する（図１０（ｂ）参照）。これにより、制御回路５は、CutOutlineを、枠線３１〜３４を繋げた線分３１ａ，３２ａ，３３ａ，３４ａ，３４ｂ，３４ｃ，３３ｃ，３２ｃ，３１ｃ，３１ｄからなる枠線３００と、部分模様Ｃ，Ｄ，Ｂ，Ａの輪郭線とのベクトルデータに更新する。また、制御回路５は、重畳させた２つの線分３２ｄ，３１ｂを、１つのLapLine（０）として更新する。
【０１２０】
この後、制御回路５は、CutLapLineを、CutOutlineの枠線３００上におけるＸ軸負方向４０２側の線分３１ｄに設定する（ステップＳ１０７）。また、制御回路５は、カウンタｋの値を１だけインクリメントすると（ステップＳ１０８）、ステップＳ１０１にて、カウンタｋの値「２」が第２グループのレイヤ数Ｎに達したと判断し（ＮＯ）、ステップＳ９５にリターンする。こうして、制御回路５は、第１、第２全体模様Ｍ１，Ｍ２に係る全体のCutOutlineをＲＡＭ７に記憶させると共に、LapLine（０）を第２グループと対応付けてＲＡＭ７に記憶させ（ステップＳ９５）、ステップＳ７３にリターンする。
【０１２１】
ステップＳ７３において、制御回路５は、CutOutlineとして設定された、第1グループ（表面用）のLapLine（０）、（１）と、第２グループ（裏面用）のLapLine（０）を除く枠線３００と部分模様Ａ〜Ｄとの切断線データを作成する（ステップＳ７３）。このとき、全体の枠線３００の各点Ｐ０〜Ｐ４の座標データに基づいて、点Ｐ０を切断開始点及び切断終了点とする切断線データを作成する（図５、図１０（ｂ）参照）。また、部分模様Ａの点Ｐ０〜Ｐｍ、部分模様Ｂの点Ｐ０〜Ｐｍ、部分模様Ｃの点Ｐ０〜Ｐｍ、部分模様Ｄの点Ｐ０〜Ｐｍの各座標データに基づいて、夫々の点Ｐ０を切断開始点及び切断終了点とする４つの輪郭線の切断線データが作成される（図５、図４（ａ）〜（ｄ）参照）。
【０１２２】
更に、制御回路５は、ステップＳ７４，Ｓ７５において、折り線の切断線データの作成処理を、グループ毎に実行する。図２２は、第１グループに対応付けた表面用のLapLine（０）、（１）の処理内容を示している。同図に示すように、制御回路５は、LapLineで繋げた順番に対応するカウンタｍを０にリセットし（ステップＳ１１１）、そのカウンタｍの値が、第１グループのレイヤ数Ｎ−１である「２」よりも小さいか否かを判断する（ステップＳ１１２）。最初は、カウンタｍの値が第１グループのレイヤ数Ｎ−１よりも小さい０であるため、ステップＳ１１３に移行する。これに対し、カウンタｍの値が第１グループのレイヤ数Ｎ−１と等しいか又は大きい場合、ステップＳ７５へリターンする。
【０１２３】
制御回路５は、ステップＳ１１３において、カウンタｍの値が奇数か否かを判断する。カウンタｍの値が奇数の場合（ＹＥＳ）、ステップＳ１１５に移行し、カウンタｍの値が偶数の場合（ＮＯ）、ステップＳ１１４に移行する。具体的には、現時点ではカウンタｍの値が０であることから、ステップ１１３はＮＯとなり、ステップＳ１１４へ移行する。
ステップＳ１１４において、制御回路５は、現時点のカウンタｍの値（＝０）に対応する第１グループのLapLine（０）について、谷折り線４２の切断線データを作成する。このとき、LapLine（０）の両端の点Ｐｓ，Ｐｅの座標データに基づいて（図１０（ｂ）、図５参照）、その点Ｐｓを切断開始点、点Ｐｅを切断終了点として、谷折り線４２の破線を特定する属性フラグを含む切断線データを作成する。
【０１２４】
次いで、制御回路５は、ステップＳ１１６でカウンタｍの値を１だけインクリメントした１として（ｍ＝１）、ステップＳ１１２にリターンする。制御回路５は、カウンタｍの値「１」について、第１グループのレイヤ数Ｎ−１よりも小さく且つ奇数と判断する（ステップＳ１１２，Ｓ１１３で夫々ＹＥＳ）。この場合、制御回路５は、カウンタｍの値に対応する第１グループのLapLine（１）について、山折り線４３の切断線データを作成する（ステップＳ１１５）。このとき、LapLine（１）の両端の点Ｐｓ，Ｐｅの座標データに基づいて（図１０（ｂ）、図５参照）、その点Ｐｓ、Ｐｅを切断開始点及び切断終了点とし、山折り線４３の一点鎖線を特定する属性フラグを含む切断線データを作成する。
この後、制御回路５は、カウンタｍの値を１だけインクリメントすると（ステップＳ１１６）、ステップＳ１１２にて、カウンタｍの値「２」が第１グループのレイヤ数Ｎ−１に達したと判断し（ＮＯ）、ステップＳ７５へリターンする。
【０１２５】
図２３は、ステップＳ７５で実行される、裏面用のLapLine（０）の処理内容を示している。この場合、制御回路５は、カウンタｍを０にリセットし（ステップＳ１２１）、そのカウンタｍの値が、第２グループのレイヤ数Ｎ−１である「１」よりも小さいか否かを判断する（ステップＳ１２２）。最初は、カウンタｍの値が第２グループのレイヤ数Ｎ−１よりも小さい０であるため、ステップＳ１２３に移行する。これに対し、カウンタｍの値が第２グループのレイヤ数Ｎ−１と等しいか又は大きい場合、ステップＳ７６へリターンする。
【０１２６】
制御回路５は、ステップＳ１２３において、カウンタｍの値が偶数か否かを判断する。カウンタｍの値が偶数の場合（ＹＥＳ）、ステップＳ１２５に移行し、カウンタｍの値が奇数の場合（ＮＯ）、ステップＳ１２４に移行する。具体的には、現時点ではカウンタｍの値が０であることから、ステップ１２３はＹＥＳとなり、ステップＳ１２５へ移行する。
ステップＳ１２５において、制御回路５は、現時点のカウンタｍの値（＝０）に対応する第２グループのLapLine（０）について、山折り線４１の切断線データを作成する。このとき、LapLine（０）の両端の点Ｐｓ，Ｐｅの座標データに基づいて（図１０（ｂ）、図５参照）、その点Ｐｓを切断開始点、点Ｐｅを切断終了点として、山折り線４１の一点鎖線を特定する属性フラグを含む切断線データを作成する。
この後、制御回路５は、カウンタｍの値を１だけインクリメントすると（ステップＳ１２６）、ステップＳ１２２にて、カウンタｍの値「１」が第２グループのレイヤ数Ｎ−１に達したと判断し（ＮＯ）、ステップＳ７６へリターンする。
【０１２７】
なお、例えば第２グループのレイヤ数Ｎ−１が「２」以上の値をとり（ステップＳ１２２にてＹＥＳ）、且つステップＳ１２６でインクリメントされたカウンタｍの値が奇数になるとき（ステップＳ１２３でＮＯ）、制御回路５により、第２グループのLapLine（ｍ）について、谷折り線の切断線データが作成される（ステップＳ１２４）。それ故、上記したステップＳ７４，Ｓ７５の実行により、LapLineで繋げた順番ｍの奇数、偶数に応じて、山折り線４１，４３と谷折り線４２が、前記連接方向４０１，４０２たる左右方向に折り線位置毎に互い違いとなるように配置される（図３（ｃ）参照）。
【０１２８】
こうして、制御回路５は、作成した各部分模様Ａ〜Ｄの輪郭線、枠線３００、及び各折り線４１〜４３の切断線データを、ＲＡＭ７に記憶する（ステップＳ７６）。また、制御回路５は、当該切断線データに、前述した終了コードや、表示用のデータ等を付加して、折り重ね用切断データの作成処理を終了する（エンド）。
【０１２９】
なお、前記表示用のデータは、前記ステップＳ６０で記憶した各レイヤ５０B−０〜５０B−２を利用して、第１全体模様Ｍ１と第２全体模様Ｍ２を夫々凹状に表すことができる。即ち、第１全体模様Ｍ１については、図６（ｄ）に示す第１レイヤ５０T−１について部分模様Ｂの輪郭内を切り欠いた橙色の画像レイヤ５０T−１と、第２レイヤ５０B−２について部分模様Ａの輪郭内を切り欠いた茶色の画像レイヤ５０B−２を生成する。そして、基台レイヤ５０B−０となる茶色の画像レイヤ５０B−０の前側に橙色の画像レイヤ５０T−１を重ね、その画像レイヤ５０T−１の前側に茶色の画像レイヤ５０B−２を重ねる（図３（ｄ）参照）。これにより、最も表面側となる茶色の画像レイヤ５０B−２に対して、部分模様Ａの内方を、後側の画像レイヤ５０B−０，５０T−１により茶色と橙色の２色で表して第１全体模様Ｍ１が凹状となる。
【０１３０】
他方、第２全体模様Ｍ２については、図７（ｄ）に示す第１レイヤ５０T−１について部分模様Ｄの輪郭内を切り欠いた橙色の画像レイヤ５０T−１と、第２レイヤ５０B−２について部分模様Ｃの輪郭内を切り欠いた茶色の画像レイヤ５０B−２を生成する。そして、基台レイヤ５０B−０となる茶色の画像レイヤ５０B−０の前側に橙色の画像レイヤ５０T−１を重ね、その画像レイヤ５０T−１の前側に茶色の画像レイヤ５０B−２を重ねる（図３（ｅ）参照）。これにより、最も表面側となる茶色の画像レイヤ５０B−２に対して、部分模様Ｃの内方を、後側の画像レイヤ５０B−０，５０T−１により茶色と橙色の２色で表して第２全体模様Ｍ２が凹状となる。
【０１３１】
更に、切断データ作成装置１側で作成した折り重ね用切断データを、切断装置１１側で受信して、折り重ね用切断データに基づき切断動作を実行させることができる。この場合、切断装置１１において、１枚のシート材２００から各部分模様Ａ〜Ｄの輪郭線及び枠線３００が切断されると共に、各折り線４１〜４３が形成された１枚のシート片２０を切り抜くことができる（図３（ｃ）参照）。
【０１３２】
ユーザは、各折り線４１〜４３を折り重ねの指標となる目印として、シート片２０の山折り線４１での山折りと谷折り線４２での谷折りと山折り線４３での山折りとを交互に行い、ジグザグ折りにする。これにより、シート片２０が、枠線３１〜３４で画されたシート部２０−１〜２０−４単位で折り重なり、表面側で部分模様Ａ，Ｂ，Ｅが組み合わさった第１全体模様Ｍ１と、裏面側で部分模様Ｃ，Ｄ，Ｅが組み合わさった第２全体模様Ｍ２との表裏両面の装飾物５１を作製することができる。このとき、第１全体模様Ｍ１は、図３（ａ）に示すように、シート部２０−２，２０−４の茶色と、シート部２０−３の橙色との２色で表わされる。同様に、第２全体模様Ｍ２は、図３（ｂ）に示すように、シート部２０−１，２０−３の茶色と、シート部２０−２の橙色との２色で表わされる。
【０１３３】
上記したように、シート片２０におけるシート部２０−２は、第１、第２グループの部分模様Ａ〜Ｅに共通する１つの基台シート部を構成する（図８（ｂ）、（ｄ）の基台レイヤ５０B−０，５０T−０参照）。この場合、第１全体模様Ｍ１において、折り重ねに伴い表裏反転するシート部２０−３の部分模様Ｂは、基台シート部２０−２側から表面側への重なり順の順番が偶数番目（前記ステップＳ１０２では「１」から順番を数えるため奇数番目）となる（図３（ｄ）参照）。他方、第２全体模様Ｍ２において、表裏反転する基台シート部２０−２の部分模様Ｄは、裏面側への重なり順の順番が奇数番目である「１」となる（図３（ｅ）参照）。本実施形態にあっては、当該部分模様Ｂ，Ｄを、前記重畳線を基準に対称形状となる部分模様に変換する、ステップＳ９２，Ｓ１０５の変換工程を実行する。このため、シート片２０をジグザグ折りにしても、当該部分模様Ｂ，Ｄを表面側或は裏面側で所期の向きに合わせることができる折り重ね用切断データを自動的に作成することができる。
【０１３４】
上記した実施形態と異なり、部分模様を切断した複数のシート材を積層することにより装飾物を作製することが考えられる。しかしながら、複数のシート材が必要であり、作製の手間がかかる上に、個々のシートを重ねるときの位置や向きの調整が必要となる。これに対し、本実施形態のシート部２０−１〜２０−４は、１枚のシート片２０として繋げた構成であるため、装飾物５１の作製の手間或は作製時間を大幅に減らすことが可能となる。また、折り線４１〜４３を折り重ねの指標としてシート部２０−１〜２０−４単位で折り重ねるだけで、部分模様Ａ〜Ｅ相互間の正確な位置合せを行うことができる。
【０１３５】
また、本実施形態では、シート部に相当するレイヤの数Ｎを減らすステップ（Ｓ６４、Ｓ６５の工程）を実行する。このため、第１全体模様Ｍ１と第２全体模様Ｍ２を表すシート部の数を少なくすることができる。即ち、シート片２０の大きさを、効率的に小さくする切断データを自動的に作成することができる。
【０１３６】
この点、レイヤ数Ｎを減らす条件は、図１７で説明したステップＳ６３に限定するものではなく、第１グループの第１レイヤ５０のLayeredLine（１）と、第２グループの第１レイヤ５０のLayeredLine（１）の対称形状と一致する場合でも（ステップＳ６１にてＹＥＳ）、レイヤ数Ｎを減らすことができる。この第１レイヤ５０に相当するシート部を有する装飾物について、図２４、図２５を参照しながら説明する。
【０１３７】
図２４（ａ）は、装飾物５２の表面側に表れる第１グループの「リンゴ」の部分模様Ｑと、「星」の部分模様Ｒと、「周囲」の部分模様Ｔが組み合わさった第１全体模様Ｍ１０を示す。図２４（ｂ）は、装飾物５２の裏面側に表れる第２グループの「ブドウ」の部分模様Ｕと、「星」の部分模様Ｒと、「周囲」の部分模様Ｔが組み合わさった第２全体模様Ｍ２０を示している。図２４（ｃ）は、装飾物５２のシート片６０を展開した状態を示しており、シート片６０は、その一面６０Reが赤色で、他面６０Aqが水色の両面色紙である。また、シート片６０は、３つのシート部６０−１〜６０−３で構成され、夫々の枠線７１，７２，７３は、正八角形の部分模様Ｔの輪郭線を表すものとする。
【０１３８】
ここで、シート片６０を形成するための、折り重ね用切断データの元とする表裏両面の図柄画像データについては、図２５（ａ）、（ｃ）に示す原画が用いられる（前記ステップＳ１）。即ち、図２５（ａ）に示すように、１つ目の原画に描画された図柄は、第１全体模様Ｍ１０に対応しており、「リンゴ」を赤色Re、「星」を黒色Bl、「周囲」を水色Aqとする３つのパーツから構成される。一方、図２５（ｃ）に示すように、２つ目の原画に描画された図柄は、第２全体模様Ｍ２０に対応しており、「ブドウ」を水色Aq、「星」を黒色Bl、「周囲」を赤色Reとする３つのパーツから構成される。
【０１３９】
前記図柄画像データに基づいて、図２５の枠線７０〜７３として部分模様Ｔの輪郭線が設定され（前記ステップＳ２）、それら枠線の連接方向は、前述したデフォルト方向４０１，４０２に設定されるものとする（前記ステップＳ３）。また、２つの図柄画像データに夫々含まれる「星」は、左右方向における枠線内の中央に位置する、線対称の形状である。従って、前記ステップＳ４の重なり順決定処理において、第１グループと第２グループとで共通する１つの「星」として、まとめることができる。
【０１４０】
具体的には、重なり順決定処理において、第１グループの部分模様Ｔ，Ｑ，Ｒは、夫々の階層の深さについて０，１，２（図２５（ｂ）のｈ（０）、（１）、（２）参照）が取得される結果、模様番号（同図２５（ｂ）の四角で囲った「０」〜「２」の順番）は、部分模様Ｒ、部分模様Ｑ、部分模様Ｔの順に設定される。それ故、各部分模様Ｒ，Ｑ，Ｔの順番「０」〜「２」に対応するレイヤ５０Bl−０、５０Re−１、５０Aq−２には、図２５（ｂ）の下段に示すLayeredLineが設定される。即ち、順番が「０」の基台レイヤ５０Bl−０は枠線７０のLayeredLine（０）、順番が「１」の第１レイヤ５０Re−１は枠線７２及び部分模様ＲのLayeredLine（１）、順番が「２」の第２レイヤ５０Aq−２は枠線７３及び部分模様ＱのLayeredLine（２）が設定される。
【０１４１】
他方、第２グループの部分模様Ｔ，Ｕ，Ｒは、夫々の階層の深さについて０，１，２（図２５（ｄ）のｈ（０）、（１）、（２）参照）が取得される結果、模様番号（同図２５（ｄ）の四角で囲った「０」〜「２」の順番）は、部分模様Ｒ、部分模様Ｕ、部分模様Ｔの順に設定される。それ故、各部分模様Ｒ、Ｕ、Ｔの順番「０」〜「２」に対応するレイヤ５０Bl−０、５０Aq−１、５０Re−２には、図２５（ｄ）の下段に示すLayeredLineが設定される。即ち、順番が「０」の基台レイヤ５０Bl−０は枠線７０のLayeredLine（０）、順番が「１」の第１レイヤ５０Aq−１は枠線７２及び部分模様ＲのLayeredLine（１）、順番が「２」の第２レイヤ５０Re−２は枠線７１及び部分模様ＵのLayeredLine（２）が設定される。
【０１４２】
この場合、制御回路５は、第１グループの第１レイヤ５０Re−１の枠線７２及び部分模様Ｒが、第２グループの第１レイヤ５０Aq−１の枠線７２及び部分模様Ｒの対称形状と一致すると判断する（ステップＳ６１にてＹＥＳ）。このとき、制御回路５は、ディスプレイ３に、「基台シート部が不要または必要」を選択させる選択画面（図示略）を表示させる（ステップＳ６２）。ユーザは、選択画面を見ながら入力部４を操作して選択を行う。制御回路５は、入力部４からの選択指令が「基台シートが不要」である場合（ステップＳ６２にてＹＥＳ）、ステップＳ６６へ移行する。
【０１４３】
ステップＳ６６において、制御回路５は、第１グループの基台レイヤ５０Bl−０をLayeredLine（０）のデータごと削除すると共に、当該削除に伴い、その余のレイヤ５０Re−１，５０Aq−２の順番「１」、「２」を「０」、「１」に繰り上げる。同様に、制御回路５は、第２グループの基台レイヤ５０Bl−０をLayeredLine（０）のデータごと削除し、その余のレイヤ５０Aq−１，５０Re−２の順番を「０」、「１」に繰り上げる。こうして、原画の黒色を表す２つのレイヤ５０Bl−０を削除し、以ってシート部の数を減らしたシート片６０の折り重ね用切断データを作成することができる（前記ステップＳ５）。
【０１４４】
なお、制御回路５は、入力部４からの選択指令が「基台シートが必要」である場合（ステップＳ６２にてＮＯ）、基台レイヤ５０Bl−０を削除することなくリターンして、図１１のステップＳ５に移行する。このため、図２５（ｂ）に示す３つのレイヤ５０Bl−０，５０Re−１，５０Aq−２と図２５に示す２つのレイヤ５０Aq−１，５０Re−２とに相当する、図示しない５つのシート部で構成されるシート片の折り重ね用切断データを作成することができる（前記ステップＳ５）。
【０１４５】
以上説明したように、本実施形態の切断データ作成方法は、複数の部分模様の各枠線について、注目する一の部分模様の枠線の一部と他の部分模様の枠線の一部とを重ねるための重畳線（線分３１ｂ，３２ｄ，３２ｂ，３３ｂ，３３ｄ，３４ｄ）を、第１グループの部分模様及び第２グループの部分模様の夫々の組み合わせに応じて設定する重畳線設定工程（ステップＳ８２，Ｓ９３，Ｓ１０２〜Ｓ１０５，Ｓ１０６，Ｓ１０７）と、一の部分模様の枠線と他の部分模様の枠線とを、重畳線設定工程で設定された重畳線で繋げることで、第１グループの部分模様と第２グループの部分模様とにわたって、各枠線が連続的に繋がる形状に連接する連接工程（ステップＳ１０６）と、前記連接工程で繋げた前記枠線のうち前記重畳線を除く枠線を切断する切断データを作成する切断データ作成工程（ステップＳ７３）と、を備える。
【０１４６】
これによれば、重畳線設定工程で、一の部分模様の枠線の一部と他の部分模様の枠線の一部との重畳線が、第１グループの部分模様及び第２グループの部分模様の夫々の組み合わせに応じて設定される。また、連接工程で、一の部分模様の枠線と他の部分模様の枠線とを重畳線で繋げることで、第１グループの部分模様と第２グループの部分模様とにわたって、各枠線が連続的に繋がる形状に連接する。これにより、被切断物としてのシート（例えばシート片２０）について、複数の部分模様Ａ〜Ｅに係る枠線３１〜３４のうち前記重畳線を除く枠線を切断する切断データを作成することができる。このため、このため、作成した切断データに基づきシートを切断し、枠線で画された単位でシート片２０を折り重ねれば、その表面側に第１グループの部分模様Ａ，Ｂ，Ｅが組み合わさった第１全体模様Ｍ１を表し、裏面側に第２グループの部分模様Ｃ〜Ｅが組み合わさった第２全体模様Ｍ２を表す表裏両面の装飾物５１を容易に作製することができる。即ち、表裏両面に全体模様Ｍ１，Ｍ２が表された見栄えが良い装飾物５１を、手間をかけずに容易に作製することができる。
【０１４７】
また、切断データ作成装置１の制御回路５は、前記重畳線を、第１グループの部分模様及び第２グループの部分模様の夫々の組み合わせに応じて設定する重畳線設定手段、第１グループの部分模様Ａ，Ｂ，Ｅと第２グループの部分模様Ｃ〜Ｅとにわたって、各枠線３１〜３４が連続的に繋がる形状に連接する連接手段、この連接手段で繋げた枠線３１〜３４のうち前記重畳線を除く枠線３００を切断する切断データを作成する切断データ作成手段として構成されている。
【０１４８】
これによれば、重畳線設定手段で、一の部分模様の枠線の一部と他の部分模様の枠線の一部との重畳線が、第１グループの部分模様及び第２グループの部分模様の夫々の組み合わせに応じて設定される。また、連接手段で、一の部分模様の枠線と他の部分模様の枠線とを重畳線で繋げることで、第１グループの部分模様と第２グループの部分模様とにわたって、各枠線が連続的に繋がる形状に連接する。これにより、被切断物としてのシート片２０について、複数の部分模様Ａ〜Ｅに係る枠線３１〜３４のうち前記重畳線を除く枠線３００を切断する切断データを作成することができる。このため、作成した切断データに基づきシートを切断し、枠線３１〜３４で画された単位でシート片２０を折り重ねれば、その表面側に第１グループの部分模様Ａ，Ｂ，Ｅが組み合わさった第１全体模様Ｍ１を表し、裏面側に第２グループの部分模様Ｃ〜Ｅが組み合わさった第２全体模様Ｍ２を表す表裏両面の装飾物５１を容易に作製することができる。即ち、表裏両面に全体模様Ｍ１，Ｍ２が表された見栄えが良い装飾物５１を、手間をかけずに容易に作製することができる。
【０１４９】
前記切断データ作成方法は、シート片２０を折り重ねたときの複数の部分模様Ａ〜Ｅの重なり順の順番を決定する順番決定工程（ステップＳ２２，Ｓ２５、順番決定手段としての制御回路５）を備え、重畳線設定工程（重畳線設定手段）は、順番決定手段で決定された前記順番に応じて、各部分模様Ａ〜Ｅの枠線３１〜３４の重畳線を設定する。
これによれば、シート片２０を折り重ねたときの部分模様Ａ〜Ｅの重なり順の順番に応じて、枠線３１〜３４の重畳線が設定される。これにより、シート片２０について、前記順番に応じて設定された重畳線で枠線３１〜３４を連接することができる。
【０１５０】
シート片２０を折り重ねたときにおける第１グループの部分模様Ａ，Ｂ，Ｅ相互間での重なり順の順番が偶数番目となる部分模様Ｂを、その枠線３３の重畳線３３ｂを基準に対称形状となる部分模様Ｂに変換し、且つシート片２０を折り重ねたときにおける第２グループの部分模様Ｃ〜Ｅ相互間での重なり順の順番が奇数番目となる部分模様Ｄを、その枠線３２の重畳線３２ｄを基準に対称形状となる部分模様に変換する変換工程（ステップＳ９２，Ｓ１０５、変換手段としての制御回路５）を備える。
これによれば、シート片２０の折り重ねに伴い表裏反転する部分模様Ｂ，Ｄを対称形状に変換することで、当該折り重ねにより、その余の部分模様Ａ，Ｃ，Ｅと即した組み合わせの全体模様Ｍ１，Ｍ２が得られる折り重ね用切断データを作成することができる。
【０１５１】
前記枠線３１〜３４は、その内方に部分模様Ａ〜Ｄを包含し、又は、部分模様Ｅの輪郭線の少なくとも一部を構成する。これによれば、枠線３１〜３４によって、部分模様Ａ〜Ｅを画すると共に、その画する単位でシート片２０を折り重ねることで、部分模様Ａ〜Ｅを簡単に重ね合わせることができる。
【０１５２】
前記切断データ作成工程（切断データ作成手段）は、前記重畳線を折り線位置として折り重ねの指標となる目印の切断データを更に作成する。これによれば、シート片２０における目印が、重畳線を折返し位置とする指標となるため、シート片２０を容易に折り重ねることができる。
【０１５３】
前記目印は、折り線位置を示す線であって、シート片２０を山折りすることを示す山折り線４１，４３と、シート片２０を谷折りすることを示す谷折り線４２とを含み、山折り線４１，４３と谷折り線４２は線の種類が異なる。これによれば、山折り線４１，４３と谷折り線４２を目印として、シート片２０の山折りと谷折りを正しく且つ容易に行うことができる。
なお、折り線位置は、上記した破線や一点鎖線以外の線で特定してもよく、前記目印は、折り重ねの指標となるものであればよい。
【０１５４】
山折り線４１，４３と谷折り線４２は、枠線３１〜３４を連接した方向４０１，４０２において折り線位置毎に互い違いとなるように配置されている。この構成において、山折り線４１，４３での山折りと谷折り線４２での谷折りを行えば、ジグザグ状に折り重ねたシート片２０で第１全体模様Ｍ１と第２全体模様Ｍ２を表す装飾物５１の折り重ね用切断データとすることができる。
【０１５５】
本発明は、上記した実施形態にのみ限定されるものではなく、次のように変形または拡張できる。切断データ作成装置は、所謂専用機や切断装置１１に切断データ作成機能を持たせた構成としてもよい。
前記切断データ作成プログラムを記録した記録媒体は、前記外部記憶装置９に限定されるものではなく、ＵＳＢメモリ、ＣＤ−ＲＯＭ、フレキシブルディスク、ＤＶＤ、メモリカード等の各種の記録媒体であってもよい。この場合、当該記録媒体に記録されたプログラムを、種々のデータ処理装置のコンピュータに読み込んで実行させることにより、上記実施形態と同様の作用及び効果を奏する。
【符号の説明】
【０１５６】
１    切断データ作成装置
５    制御手段（重畳線設定手段、連接手段、切断データ作成手段、順番決定手段、変換手段）
２０，６０  シート（シート片）
３１〜３４、７０〜７３  枠線
４１〜４３  目印（山折り線、谷折り線）
５１，５２  装飾物
Ａ〜Ｅ，Ｑ，Ｒ，Ｔ，Ｕ  部分模様
Ｍ１，Ｍ２，Ｍ１０、Ｍ２０  全体模様
LapLine  重畳線
【図１】
2016185576.tif 000003
【図２】
2016185576.tif 000004
【図３】
2016185576.tif 000005
【図４】
2016185576.tif 000006
【図５】
2016185576.tif 000007
【図６】
2016185576.tif 000008
【図７】
2016185576.tif 000009
【図８】
2016185576.tif 000010
【図９】
2016185576.tif 000011
【図１０】
2016185576.tif 000012
【図１１】
2016185576.tif 000013
【図１２】
2016185576.tif 000014
【図１３】
2016185576.tif 000015
【図１４】
2016185576.tif 000016
【図１５】
2016185576.tif 000017
【図１６】
2016185576.tif 000018
【図１７】
2016185576.tif 000019
【図１８】
2016185576.tif 000020
【図１９】
2016185576.tif 000021
【図２０】
2016185576.tif 000022
【図２１】
2016185576.tif 000023
【図２２】
2016185576.tif 000024
【図２３】
2016185576.tif 000025
【図２４】
2016185576.tif 000026
【図２５】
2016185576.tif 000027